(57)【要約】  本願の実施例は、同期信号ブロックの伝送の点で通信性能を向上させることができる無線通信方法及び装置を開示する。該方法は、ネットワーク装置は端末装置に、該端末装置に送信する同期信号ブロックのリソース位置及び／又は数量を指示することと、該ネットワーク装置は該リソース位置及び／又は数量の該同期信号ブロックを該端末装置に送信することと、を含む。
2021502007.tif 000002
【特許請求の範囲】
【請求項１】
ネットワーク装置は端末装置に、前記端末装置に送信する同期信号ブロックのリソース位置及び／又は数量を指示することと、
前記ネットワーク装置は前記リソース位置及び／又は数量の前記同期信号ブロックを前記端末装置に送信することと、を含むことを特徴とする無線通信方法。
【請求項２】
前記ネットワーク装置が端末装置に、前記端末装置に送信する同期信号ブロックのリソース位置及び／又は数量を指示することは、
前記ネットワーク装置は第１情報によって、送信する前記同期信号ブロックのリソース位置及び／又は数量を前記端末装置に指示することを含み、
前記第１情報は送信する前記同期信号ブロックのリソース位置インデックス又は前記同期信号ブロックの識別子を含むことを特徴とする請求項１に記載の方法。
【請求項３】
前記ネットワーク装置が端末装置に、前記端末装置に送信する同期信号ブロックのリソース位置及び／又は数量を指示することは、
前記ネットワーク装置は第２情報によって、送信する同期信号ブロックのリソース位置及び／又は数量を前記端末装置に指示し、前記第２情報は予め設定された伝送可能な各同期信号ブロックが送信されるか否かを指示することによって、前記端末装置に送信する同期信号ブロックのリソース位置及び／又は数量を指示することを含むことを特徴とする請求項１に記載の方法。
【請求項４】
前記第２情報中の、前記各同期信号ブロックが送信されるか否かを指示するための情報は、前記同期信号ブロックのリソース位置インデックス又は前記同期信号ブロックの識別子でソートされることを特徴とする請求項３に記載の方法。
【請求項５】
前記ネットワーク装置は、送信する前記同期信号ブロックに対応するランダムアクセス用のリソース及び／又はランダムアクセスプリアンブルの構成情報を含む第３情報を前記端末装置に送信することを更に含むことを特徴とする請求項２〜４のいずれか一項に記載の方法。
【請求項６】
前記ネットワーク装置が端末装置に、前記端末装置に送信する同期信号ブロックのリソース位置及び／又は数量を指示することは、
前記ネットワーク装置は第４情報によって、送信する同期信号ブロックのリソース位置及び／又は数量を前記端末装置に指示し、前記第４情報は送信する前記同期信号ブロックに関連するリソース及び／又はシーケンスを設定する情報であることを含むことを特徴とする請求項１に記載の方法。
【請求項７】
前記ネットワーク装置は前記第４情報の属するメッセージでの位置によって、送信する前記同期信号ブロックの位置及び／又は数量を指示することを特徴とする請求項６に記載の方法。
【請求項８】
前記ネットワーク装置は、前記同期信号ブロックのリソース位置と前記第４情報の属するメッセージでの位置とのマッピング関係のモードを指示するための第５情報を前記端末装置に送信することを更に含むことを特徴とする請求項７に記載の方法。
【請求項９】
前記第４情報は前記端末装置に対してランダムアクセスを行うランダムアクセスリソース及び／又はランダムアクセスプリアンブルを設定する構成情報であり、前記同期信号ブロックに関連するリソース及び／又はシーケンスはランダムアクセスリソース及び／又はランダムアクセスプリアンブルであることを特徴とする請求項６〜８のいずれか一項に記載の方法。
【請求項１０】
前記第４情報はランダムアクセス用のリソース及び／又はランダムアクセスシーケンスの集合の各々が設定されるか否かを指示することによって、前記端末装置に送信する同期信号ブロックのリソース位置及び／又は数量を指示し、
設定される異なる前記集合中のランダムアクセスリソース及び／又はシーケンスは異なることを特徴とする請求項９に記載の方法。
【請求項１１】
前記第４情報中の、前記各集合が設定されるか否かを指示するための情報は、前記集合のインデックスの順でソートされることを特徴とする請求項１０に記載の方法。
【請求項１２】
前記ネットワーク装置が端末装置に、前記端末装置に送信する同期信号ブロックのリソース位置及び／又は数量を指示することは、
前記ネットワーク装置は物理報知チャネル（ＰＢＣＨ）中の情報、及び復調基準信号（ＤＭＲＳ）のリソース位置及び／又はシーケンス情報によって、送信する前記同期信号ブロックのリソース位置及び／又は数量を前記端末装置に指示することを含むことを特徴とする請求項１に記載の方法。
【請求項１３】
前記ネットワーク装置は、ランダムアクセス過程で前記端末装置から送信されるメッセージを受信することと、
前記ネットワーク装置は、ランダムアクセス過程で前記端末装置から送信されるメッセージに占有されるリソース及び／又は含まれるランダムアクセスプリアンブルに基づいて、前記端末装置が選択する同期信号ブロックを確定することと、
前記端末装置が選択する同期信号ブロックの送信方式に応じて、前記ネットワーク装置は前記同期信号ブロックではないダウンリンク信号を送信することと、を更に含むことを特徴とする請求項１〜１２のいずれか一項に記載の方法。
【請求項１４】
異なるリソース位置の前記同期信号ブロックは異なるビームによって送信されることを特徴とする請求項１３に記載の方法。
【請求項１５】
端末装置はネットワーク装置から送信される情報によって、前記ネットワーク装置が前記端末装置に送信する同期信号ブロックのリソース位置及び／又は数量を確定することと、
前記端末装置は前記リソース位置及び／又は数量の前記同期信号ブロックを受信することと、を含むことを特徴とする無線通信方法。
【請求項１６】
前記ネットワーク装置は送信する情報によって、前記端末装置に送信する同期信号ブロックの数量を指示し、
前記端末装置が前記リソース位置及び／又は数量の前記同期信号ブロックを受信することは、
前記端末装置は前記数量の前記同期信号ブロックを受信し、且つ前記数量の前記同期信号ブロックを受信した後、存在可能な新しい同期信号ブロックの検出を停止することを含むことを特徴とする請求項１５に記載の方法。
【請求項１７】
前記ネットワーク装置は送信する情報によって、前記端末装置に送信する同期信号ブロックのリソース位置及び数量を指示し、
前記端末装置が前記リソース位置及び／又は数量の前記同期信号ブロックを受信することは、
前記端末装置は前記数量の前記同期信号ブロックを受信し、且つ指示されたリソース位置のみで前記数量の前記同期信号ブロックを受信し、他の位置において存在可能な同期信号の検出を停止することを含むことを特徴とする請求項１５に記載の方法。
【請求項１８】
前記端末装置は前記ネットワーク装置から送信される第１情報を受信することを更に含み、
前記端末装置はネットワーク装置から送信される情報によって、前記ネットワーク装置が前記端末装置に送信する同期信号ブロックのリソース位置及び／又は数量を確定することは、
前記端末装置は前記第１情報に基づいて、前記ネットワーク装置が前記端末装置に送信する同期信号ブロックのリソース位置及び／又は数量を確定することを含み、
前記第１情報は前記ネットワーク装置が送信する前記同期信号ブロックのリソース位置インデックス又は前記同期信号ブロックの識別子を含むことを特徴とする請求項１５〜１７のいずれか一項に記載の方法。
【請求項１９】
前記端末装置は前記ネットワーク装置から送信される第２情報を受信することを更に含み、
前記端末装置はネットワーク装置から送信される情報によって、前記ネットワーク装置が前記端末装置に送信する同期信号ブロックのリソース位置及び／又は数量を確定することは、
前記端末装置は前記第２情報に基づいて、前記ネットワーク装置が前記端末装置に送信する同期信号ブロックのリソース位置及び／又は数量を確定し、前記第２情報は予め設定された伝送可能な各同期信号ブロックが送信されるか否かを指示することによって、前記端末装置に送信する同期信号ブロックのリソース位置及び／又は数量を指示することを含むことを特徴とする請求項１５〜１７のいずれか一項に記載の方法。
【請求項２０】
前記第２情報中の、前記各同期信号ブロックが送信されるか否かを指示するための情報は、前記同期信号ブロックのリソース位置インデックス又は前記同期信号ブロックの識別子でソートされることを特徴とする請求項１９に記載の方法。
【請求項２１】
前記端末装置は前記ネットワーク装置から送信される第３情報を受信し、前記第３情報は前記ネットワーク装置が送信する前記同期信号ブロックに対応するランダムアクセス用のリソース及び／又はプリアンブルランダムアクセスコードの構成情報を含むことと、
前記構成情報に従って、前記ネットワーク装置はランダムアクセスを行うことと、を更に含むことを特徴とする請求項１５〜２０のいずれか一項に記載の方法。
【請求項２２】
前記端末装置は前記ネットワーク装置から送信される第４情報を受信することを更に含み、
前記端末装置はネットワーク装置から送信される情報によって、前記ネットワーク装置が前記端末装置に送信する同期信号ブロックのリソース位置及び／又は数量を確定することは、
前記端末装置は前記第４情報に基づいて、前記ネットワーク装置が前記端末装置に送信する同期信号ブロックのリソース位置及び／又は数量を確定し、前記第４情報は送信する前記同期信号ブロックに関連するリソース及び／又はシーケンスを設定する情報であることを含むことを特徴とする請求項１５〜１７のいずれか一項に記載の方法。
【請求項２３】
前記ネットワーク装置は、前記第４情報の属するメッセージでの位置によって、送信する前記同期信号ブロックの位置及び／又は数量を指示することを特徴とする請求項２２に記載の方法。
【請求項２４】
前記端末装置は、前記ネットワーク装置から送信される第５情報を受信し、前記第５情報は前記同期信号ブロックのリソース位置と前記第４情報の属するメッセージでの位置とのマッピング関係のモードを指示するためのものであることと、
前記第５情報に基づいて、前記マッピング関係を確定することと、を更に含むことを特徴とする請求項２３に記載の方法。
【請求項２５】
前記第４情報は前記端末装置に対してランダムアクセスを行うランダムアクセスリソース及び／又はランダムアクセスプリアンブルを設定する構成情報であり、前記同期信号ブロックに関連するリソース及び／又はシーケンスはランダムアクセスリソース及び／又はランダムアクセスプリアンブルであることを特徴とする請求項２２〜２４のいずれか一項に記載の方法。
【請求項２６】
前記第４情報はランダムアクセス用のリソース及び／又はランダムアクセスシーケンスの集合の各々が設定されるか否かを指示することによって、前記端末装置に送信する同期信号ブロックのリソース位置及び／又は数量を指示し、
設定される異なる前記集合中のランダムアクセスリソース及び／又はシーケンスは異なることを特徴とする請求項２５に記載の方法。
【請求項２７】
前記第４情報中の、前記各集合が設定されるか否かを指示するための情報は、前記集合のインデックスの順でソートされることを特徴とする請求項２６に記載の方法。
【請求項２８】
前記端末装置はネットワーク装置の指示によって、前記ネットワーク装置が前記端末装置に送信する同期信号ブロックのリソース位置及び／又は数量を確定することは、
前記端末装置は前記ネットワーク装置から送信される物理報知チャネル（ＰＢＣＨ）中の情報、及び復調基準信号（ＤＭＲＳ）のリソース位置及び／又はシーケンス情報に基づいて、前記ネットワーク装置が前記端末装置に送信する同期信号ブロックのリソース位置及び／又は数量を確定することを含むことを特徴とする請求項１５〜１７のいずれか一項に記載の方法。
【請求項２９】
検出された同期信号ブロックから同期信号ブロックを選択することと、
選択した前記同期信号ブロックに基づいて、ランダムアクセス用のリソース及び／又はランダムアクセスプリアンブルを確定することと、
確定した前記リソース及び／又はランダムアクセスプリアンブルを利用してランダムアクセスを行うことと、を更に含むことを特徴とする請求項１５〜２８のいずれか一項に記載の方法。
【請求項３０】
異なるリソース位置の前記同期信号ブロックは異なるビームによって送信されることを特徴とする請求項２９に記載の方法。
【請求項３１】
同期信号ブロックと第１情報とのマッピング関係を確定することと、
前記マッピング関係に基づいて、前記同期信号ブロック及び／又は前記第１情報を受信又は送信することと、を含むことを特徴とする無線通信方法。
【請求項３２】
前記マッピング関係は前記同期信号ブロックのリソース位置と前記第１情報とのマッピング関係であることを特徴とする請求項３１に記載の方法。
【請求項３３】
前記マッピング関係は前記同期信号ブロックのリソース位置又は前記同期信号ブロックの識別子と前記第１情報の属するメッセージでの位置とのマッピング関係であることを特徴とする請求項３１又は３２に記載の方法。
【請求項３４】
前記方法はネットワーク装置によって実行され、
前記方法は、前記マッピング関係の採用するモードを指示するための第２情報を送信することを更に含むことを特徴とする請求項３３に記載の方法。
【請求項３５】
前記方法は端末装置によって実行され、
前記方法は、前記マッピング関係の採用するモードを指示するための第２情報を受信することを更に含むことを特徴とする請求項３３に記載の方法。
【請求項３６】
前記第１情報は前記端末装置に対してランダムアクセスを行うランダムアクセスリソース及び／又はランダムアクセスプリアンブルを設定する構成情報であることを特徴とする請求項３１〜３５のいずれか一項に記載の方法。
【請求項３７】
前記第１情報はランダムアクセス用のリソース及び／又はランダムアクセスシーケンスの集合の各々が設定されるか否かを指示することによって、
設定される異なる集合中のランダムアクセスのリソース及び／又はシーケンスは異なることを特徴とする請求項３６に記載の方法。
【請求項３８】
前記第１情報中の、前記各集合が設定されるか否かを指示するための情報は、前記集合のインデックスの順でソートされることを特徴とする請求項３７に記載の方法。
【請求項３９】
前記第１情報はＰＢＣＨ中の情報、及びＤＭＲＳのリソース位置及び／又はシーケンス情報を含むことを特徴とする請求項３１又は３２に記載の方法。
【請求項４０】
前記方法は端末装置によって実行され、前記方法は、
検出された同期信号ブロックから同期信号ブロックを選択することと、
選択した前記同期信号ブロックに基づいて、ランダムアクセス用のリソース及び／又はランダムアクセスプリアンブルを確定することと、
確定した前記リソース及び／又はランダムアクセスプリアンブルを利用してランダムアクセスを行うことと、を更に含むことを特徴とする請求項３１〜３９のいずれか一項に記載の方法。
【請求項４１】
前記方法はネットワーク装置によって実行され、前記方法は、
前記ネットワーク装置はランダムアクセス過程で前記端末装置から送信されるメッセージを受信することと、
前記ネットワーク装置は、ランダムアクセス過程で前記端末装置から送信されるメッセージに占有されるリソース及び／又は含まれるランダムアクセスプリアンブルに基づいて、前記端末装置が選択する同期信号ブロックを確定することと、
前記端末装置が選択する同期信号ブロックの送信方式に応じて、前記ネットワーク装置は前記同期信号ブロックではないダウンリンク信号を送信することと、を更に含むことを特徴とする請求項３１〜３９のいずれか一項に記載の方法。
【請求項４２】
異なる同期信号ブロックは異なるビームによって送信されることを特徴とする請求項４０又は４１に記載の方法。
【請求項４３】
ネットワーク装置であって、指示ユニット及び通信ユニットを備え、
前記指示ユニットは、端末装置に、前記端末装置に送信する同期信号ブロックのリソース位置及び／又は数量を指示することに用いられ、
前記通信ユニットは、前記リソース位置及び／又は数量の前記同期信号ブロックを前記端末装置に送信することに用いられることを特徴とするネットワーク装置。
【請求項４４】
前記指示ユニットは更に、
第１情報によって、送信する前記同期信号ブロックのリソース位置及び／又は数量を前記端末装置に指示することに用いられ、
前記第１情報は送信する前記同期信号ブロックのリソース位置インデックス又は前記同期信号ブロックの識別子を含むことを特徴とする請求項４３に記載のネットワーク装置。
【請求項４５】
前記指示ユニットは更に、
第２情報によって、送信する同期信号ブロックのリソース位置及び／又は数量を前記端末装置に指示することに用いられ、
前記第２情報は予め設定された伝送可能な各同期信号ブロックが送信されるか否かを指示することによって、前記端末装置に送信する同期信号ブロックのリソース位置及び／又は数量を指示することを特徴とする請求項４３に記載のネットワーク装置。
【請求項４６】
前記第２情報中の、前記各同期信号ブロックが送信されるか否かを指示するための情報は、前記同期信号ブロックのリソース位置インデックス又は前記同期信号ブロックの識別子でソートされることを特徴とする請求項４５に記載のネットワーク装置。
【請求項４７】
前記通信ユニットは更に、
送信する前記同期信号ブロックに対応するランダムアクセス用のリソース及び／又はプリアンブルランダムアクセスコードの構成情報を含む第３情報を、前記端末装置に送信することに用いられることを特徴とする請求項４４〜４６のいずれか一項に記載のネットワーク装置。
【請求項４８】
前記指示ユニットは更に、第４情報によって、送信する同期信号ブロックのリソース位置及び／又は数量を前記端末装置に指示することに用いられ、
前記第４情報は送信する前記同期信号ブロックに関連するリソース及び／又はシーケンスを設定する情報であることを特徴とする請求項４３に記載のネットワーク装置。
【請求項４９】
前記指示ユニットは、前記第４情報の属するメッセージでの位置によって、送信する前記同期信号ブロックの位置及び／又は数量を指示することを特徴とする請求項４８に記載のネットワーク装置。
【請求項５０】
前記指示ユニットは更に、
前記同期信号ブロックのリソース位置と前記第４情報の属するメッセージでの位置とのマッピング関係のモードを指示するための第５情報を、前記端末装置に送信することに用いられることを特徴とする請求項４９に記載のネットワーク装置。
【請求項５１】
前記第４情報は前記端末装置に対してランダムアクセスを行うランダムアクセスリソース及び／又はランダムアクセスプリアンブルを設定する構成情報であり、前記同期信号ブロックに関連するリソース及び／又はシーケンスはランダムアクセスリソース及び／又はランダムアクセスプリアンブルであることを特徴とする請求項４８〜５０のいずれか一項に記載のネットワーク装置。
【請求項５２】
前記第４情報はランダムアクセス用のリソース及び／又はランダムアクセスシーケンスの集合の各々が設定されるか否かを指示することによって、前記端末装置に送信する同期信号ブロックのリソース位置及び／又は数量を指示し、
設定される異なる前記集合中のランダムアクセスリソース及び／又はシーケンスは異なることを特徴とする請求項５１に記載のネットワーク装置。
【請求項５３】
前記第４情報中の、前記各集合が設定されるか否かを指示するための情報は、前記集合のインデックスの順でソートされることを特徴とする請求項５２に記載のネットワーク装置。
【請求項５４】
前記指示ユニットは更に、
物理報知チャネル（ＰＢＣＨ）中の情報、及び復調基準信号（ＤＭＲＳ）のリソース位置及び／又はシーケンス情報によって、送信する前記同期信号ブロックのリソース位置及び／又は数量を前記端末装置に指示することに用いられることを特徴とする請求項４３に記載のネットワーク装置。
【請求項５５】
前記通信ユニットは更に、
ランダムアクセス過程で前記端末装置から送信されるメッセージを受信することと、
ランダムアクセス過程で前記端末装置から送信されるメッセージに占有されるリソース及び／又は含まれるランダムアクセスプリアンブルに基づいて、前記端末装置が選択する同期信号ブロックを確定することと、
前記端末装置が選択する同期信号ブロックの送信方式に応じて、前記同期信号ブロックではないダウンリンク信号を送信することと、に用いられることを特徴とする請求項４３〜５４のいずれか一項に記載のネットワーク装置。
【請求項５６】
異なるリソース位置の前記同期信号ブロックは異なるビームによって送信されることを特徴とする請求項５５に記載のネットワーク装置。
【請求項５７】
端末装置であって、処理ユニット及び通信ユニットを備え、
前記処理ユニットは、ネットワーク装置から送信される情報によって、前記ネットワーク装置が前記端末装置に送信する同期信号ブロックのリソース位置及び／又は数量を確定することに用いられ、
前記通信ユニットは、前記リソース位置及び／又は数量の前記同期信号ブロックを受信することに用いられることを特徴とする端末装置。
【請求項５８】
前記ネットワーク装置が送信する情報は、前記端末装置に送信する同期信号ブロックの数量を指示し、
前記通信ユニットは更に、
前記数量の前記同期信号ブロックを受信し、且つ前記数量の前記同期信号ブロックを受信した後、存在可能な新しい同期信号ブロックの検出を停止することに用いられることを特徴とする請求項５７に記載の端末装置。
【請求項５９】
前記ネットワーク装置が送信する情報は、前記端末装置に送信する同期信号ブロックのリソース位置及び数量を指示し、
前記通信ユニットは更に、
前記数量の前記同期信号ブロックを受信し、且つ指示されたリソース位置のみで前記数量の前記同期信号ブロックを受信し、他の位置において存在可能な同期信号の検出を停止することに用いられることを特徴とする請求項５７に記載の端末装置。
【請求項６０】
前記通信ユニットは更に、前記ネットワーク装置から送信される第１情報を受信することに用いられ、
前記処理ユニットは更に、
前記第１情報に基づいて、前記ネットワーク装置が前記端末装置に送信する同期信号ブロックのリソース位置及び／又は数量を確定することに用いられ、
前記第１情報は前記ネットワーク装置が送信する前記同期信号ブロックのリソース位置インデックス又は前記同期信号ブロックの識別子を含むことを特徴とする請求項５７〜５９のいずれか一項に記載の端末装置。
【請求項６１】
前記通信ユニットは更に、前記ネットワーク装置から送信される第２情報を受信することに用いられ、
前記処理ユニットは更に、
前記第２情報に基づいて、前記ネットワーク装置が前記端末装置に送信する同期信号ブロックのリソース位置及び／又は数量を確定することに用いられ、
前記第２情報は予め設定された伝送可能な各同期信号ブロックが送信されるか否かを指示することによって、前記端末装置に送信する同期信号ブロックのリソース位置及び／又は数量を指示することを特徴とする請求項５７〜５９のいずれか一項に記載の端末装置。
【請求項６２】
前記第２情報中の、前記各同期信号ブロックが送信されるか否かを指示するための情報は、前記同期信号ブロックのリソース位置インデックス又は前記同期信号ブロックの識別子でソートされることを特徴とする請求項６１に記載の端末装置。
【請求項６３】
前記通信ユニットは更に、前記ネットワーク装置から送信される第３情報を受信することに用いられ、前記第３情報は前記ネットワーク装置が送信する前記同期信号ブロックに対応するランダムアクセス用のリソース及び／又はプリアンブルランダムアクセスコードの構成情報を含み、
前記処理ユニットは更に、
前記構成情報に従って、ランダムアクセスを行うことに用いられることを特徴とする請求項５７〜６２のいずれか一項に記載の端末装置。
【請求項６４】
前記通信ユニットは更に、前記ネットワーク装置から送信される第４情報を受信することに用いられ、
前記処理ユニットは更に、前記第４情報に基づいて、前記ネットワーク装置が前記端末装置に送信する同期信号ブロックのリソース位置及び／又は数量を確定することに用いられ、
前記第４情報は送信する前記同期信号ブロックに関連するリソース及び／又はシーケンスを設定する情報であることを特徴とする請求項５７〜５９のいずれか一項に記載の端末装置。
【請求項６５】
前記ネットワーク装置は前記第４情報の属するメッセージでの位置によって、送信する前記同期信号ブロックの位置及び／又は数量を指示することを特徴とする請求項６４に記載の端末装置。
【請求項６６】
前記通信ユニットは更に、前記ネットワーク装置から送信される第５情報を受信することに用いられ、前記第５情報は前記同期信号ブロックのリソース位置と前記第４情報の属するメッセージでの位置とのマッピング関係のモードを指示するためのものであり、
前記処理ユニットは更に、前記第５情報に基づいて、前記マッピング関係を確定することに用いられることを特徴とする請求項６５に記載の端末装置。
【請求項６７】
前記第４情報は前記端末装置に対してランダムアクセスを行うランダムアクセスリソース及び／又はランダムアクセスプリアンブルを設定する構成情報であり、前記同期信号ブロックに関連するリソース及び／又はシーケンスはランダムアクセスリソース及び／又はランダムアクセスプリアンブルであることを特徴とする請求項６４〜６６のいずれか一項に記載の端末装置。
【請求項６８】
前記第４情報はランダムアクセス用のリソース及び／又はランダムアクセスシーケンスの集合の各々が設定されるか否かを指示することによって、前記端末装置に送信する同期信号ブロックのリソース位置及び／又は数量を指示し、
設定される異なる前記集合中のランダムアクセスリソース及び／又はシーケンスは異なることを特徴とする請求項６７に記載の端末装置。
【請求項６９】
前記第４情報中の、前記各集合が設定されるか否かを指示するための情報は、前記集合のインデックスの順でソートされることを特徴とする請求項６８に記載の端末装置。
【請求項７０】
前記処理ユニットは更に、
前記ネットワーク装置から送信される物理報知チャネル（ＰＢＣＨ）中の情報、及び復調基準信号（ＤＭＲＳ）のリソース位置及び／又はシーケンス情報に基づいて、前記ネットワーク装置が前記端末装置に送信する同期信号ブロックのリソース位置及び／又は数量を確定することに用いられることを特徴とする請求項５７〜５９のいずれか一項に記載の端末装置。
【請求項７１】
前記処理ユニットは更に、
検出された同期信号ブロックから同期信号ブロックを選択することと、
選択した前記同期信号ブロックに基づいて、ランダムアクセス用のリソース及び／又はランダムアクセスプリアンブルを確定することと、
確定した前記リソース及び／又はランダムアクセスプリアンブルを利用してランダムアクセスを行うことと、に用いられることを特徴とする請求項５７〜７０のいずれか一項に記載の端末装置。
【請求項７２】
異なるリソース位置の前記同期信号ブロックは異なるビームによって送信されることを特徴とする請求項７１に記載の端末装置。
【請求項７３】
無線通信装置であって、処理ユニット及び通信ユニットを備え、
前記処理ユニットは、同期信号ブロックと第１情報とのマッピング関係を確定することに用いられ、
前記通信ユニットは、前記マッピング関係に基づいて、前記同期信号ブロック及び／又は前記第１情報を受信又は送信することに用いられることを特徴とする無線通信装置。
【請求項７４】
前記マッピング関係は前記同期信号ブロックのリソース位置と前記第１情報とのマッピング関係であることを特徴とする請求項７３に記載の装置。
【請求項７５】
前記マッピング関係は前記同期信号ブロックのリソース位置又は前記同期信号ブロックの識別子と前記第１情報の属するメッセージでの位置とのマッピング関係であることを特徴とする請求項７３又は７４に記載の装置。
【請求項７６】
前記装置はネットワーク装置であり、
前記通信ユニットは更に、前記マッピング関係の採用するモードを指示するための第２情報を送信することに用いられることを特徴とする請求項７５に記載の装置。
【請求項７７】
前記装置は端末装置であり、
前記通信ユニットは更に、前記マッピング関係の採用するモードを指示するための第２情報を受信することに用いられることを特徴とする請求項７５に記載の装置。
【請求項７８】
前記第１情報は前記端末装置に対してランダムアクセスを行うランダムアクセスリソース及び／又はランダムアクセスプリアンブルを設定する構成情報であることを特徴とする請求項７３〜７７のいずれか一項に記載の装置。
【請求項７９】
前記第１情報はランダムアクセス用のリソース及び／又はランダムアクセスシーケンスの集合の各々が設定されるか否かを指示することによって、
設定される異なる集合中のランダムアクセスのリソース及び／又はシーケンスは異なることを特徴とする請求項７８に記載の装置。
【請求項８０】
前記第１情報中の、前記各集合が設定されるか否かを指示するための情報は、前記集合のインデックスの順でソートされることを特徴とする請求項７９に記載の装置。
【請求項８１】
前記第１情報はＰＢＣＨ中の情報、及びＤＭＲＳのリソース位置及び／又はシーケンス情報を含むことを特徴とする請求項７３又は７４に記載の装置。
【請求項８２】
前記装置は端末装置によって実行され、
前記処理ユニットは更に、
検出された同期信号ブロックから同期信号ブロックを選択することと、
選択した前記同期信号ブロックに基づいて、ランダムアクセス用のリソース及び／又はランダムアクセスプリアンブルを確定することと、
確定した前記リソース及び／又はランダムアクセスプリアンブルを利用してランダムアクセスを行うことと、に用いられることを特徴とする請求項７３〜８１のいずれか一項に記載の装置。
【請求項８３】
前記装置はネットワーク装置であり、
前記通信ユニットは更に、ランダムアクセス過程で前記端末装置から送信されるメッセージを受信することに用いられ、
前記処理ユニットは更に、ランダムアクセス過程で前記端末装置から送信されるメッセージに占有されるリソース及び／又は含まれるランダムアクセスプリアンブルに基づいて、前記端末装置が選択する同期信号ブロックを確定することに用いられ、
前記通信ユニットは更に、前記端末装置が選択する同期信号ブロックの送信方式に応じて、前記同期信号ブロックではないダウンリンク信号を送信することに用いられることを特徴とする請求項７３〜８１のいずれか一項に記載の装置。
【請求項８４】
異なる同期信号ブロックは異なるビームによって送信されることを特徴とする請求項８２又は８３に記載の装置。
【発明の詳細な説明】
【技術分野】
【０００１】
本願の実施例は通信分野に関し、より具体的に、無線通信方法及び装置に関する。
【背景技術】
【０００２】
５Ｇ新無線（Ｎｅｗ  Ｒａｄｉｏ、ＮＲ）システムでは、端末装置は同期信号ブロック（Ｓｙｎｃｈｒｏｎｉｚｉｎｇ  Ｓｉｇｎａｌ  Ｂｌｏｃｋ、ＳＳ  Ｂｌｏｃｋ）を検出することで初期アクセスプロセスを行い、各同期信号ブロックはプライマリ同期信号（Ｐｒｉｍａｒｙ  Ｓｙｎｃｈｒｏｎｉｚａｔｉｏｎ  Ｓｉｇｎａｌ、ＰＳＳ）、セカンダリ同期信号（Ｓｅｃｏｎｄａｒｙ  Ｓｙｎｃｈｒｏｎｉｚａｔｉｏｎ  Ｓｉｇｎａｌ、ＳＳＳ）及び物理報知チャネル（Ｐｈｙｓｉｃａｌ  Ｂｒｏａｄｃａｓｔ  Ｃｈａｎｎｅｌ、ＰＢＣＨ）を含み得る。
【０００３】
将来のＮＲシステムでは、高い通信性能が求められている。
【０００４】
従って、同期信号ブロックの伝送の点で通信性能を如何に向上させるかは解決すべき緊急の問題となっている。
【発明の概要】
【発明が解決しようとする課題】
【０００５】
上記事情に鑑みて、本願の実施例は、同期信号ブロックの伝送の点で通信性能を向上させることができる無線通信方法及び装置を提供する。
【課題を解決するための手段】
【０００６】
第１態様によれば、無線通信方法を提供し、
ネットワーク装置は端末装置に、該端末装置に送信する同期信号ブロックのリソース位置及び／又は数量を指示することと、
該ネットワーク装置は該リソース位置及び／又は数量の該同期信号ブロックを該端末装置に送信することと、を含む。
【０００７】
従って、本願の実施例では、ネットワーク装置は端末装置に、該端末装置に送信する同期信号ブロックのリソース位置及び／又は数量を指示し、端末装置は該リソース位置及び／又は数量の該同期信号ブロックを受信することができるため、端末装置はすべての可能な同期信号ブロックを検出する必要がなくなる。
【０００８】
第１態様において、第１態様の可能な実施形態では、該ネットワーク装置が端末装置に、該端末装置に送信する同期信号ブロックのリソース位置及び／又は数量を指示することは、
該ネットワーク装置は第１情報によって、送信する該同期信号ブロックのリソース位置及び／又は数量を該端末装置に指示することを含み、
該第１情報は送信する該同期信号ブロックのリソース位置インデックス又は該同期信号ブロックの識別子を含む。
【０００９】
第１態様又は上記いずれかの可能な実施形態において、第１態様の別の可能な実施形態では、該ネットワーク装置が端末装置に、該端末装置に送信する同期信号ブロックのリソース位置及び／又は数量を指示することは、
該ネットワーク装置は第２情報によって、送信する同期信号ブロックのリソース位置及び／又は数量を該端末装置に指示し、該第２情報は予め設定された伝送可能な各同期信号ブロックが送信されるか否かを指示することによって、該端末装置に送信する同期信号ブロックのリソース位置及び／又は数量を指示することを含む。
【００１０】
第１態様又は上記いずれかの可能な実施形態において、第１態様の別の可能な実施形態では、該第２情報中の、該各同期信号ブロックが送信されるか否かを指示するための情報は、該同期信号ブロックのリソース位置インデックス又は該同期信号ブロックの識別子でソートされる。
【００１１】
第１態様又は上記いずれかの可能な実施形態において、第１態様の別の可能な実施形態では、該方法は、
該ネットワーク装置は、送信する該同期信号ブロックに対応するランダムアクセス用のリソース及び／又はランダムアクセスプリアンブルの構成情報を含む第３情報を該端末装置に送信することを更に含む。
【００１２】
第１態様又は上記いずれかの可能な実施形態において、第１態様の別の可能な実施形態では、該ネットワーク装置が端末装置に、該端末装置に送信する同期信号ブロックのリソース位置及び／又は数量を指示することは、
該ネットワーク装置は第４情報によって、送信する同期信号ブロックのリソース位置及び／又は数量を該端末装置に指示し、該第４情報は送信する該同期信号ブロックに関連するリソース及び／又はシーケンスを設定する情報であることを含む。
【００１３】
第１態様又は上記いずれかの可能な実施形態において、第１態様の別の可能な実施形態では、該ネットワーク装置は該第４情報の属するメッセージでの位置によって、送信する該同期信号ブロックの位置及び／又は数量を指示する。
【００１４】
第１態様又は上記いずれかの可能な実施形態において、第１態様の別の可能な実施形態では、該方法は、
該ネットワーク装置は該同期信号ブロックのリソース位置と該第４情報の属するメッセージでの位置とのマッピング関係のモードを指示するための第５情報を、該端末装置に送信することを更に含む。
【００１５】
第１態様又は上記いずれかの可能な実施形態において、第１態様の別の可能な実施形態では、該第４情報は該端末装置に対してランダムアクセスを行うランダムアクセスリソース及び／又はランダムアクセスプリアンブルを設定する構成情報であり、該同期信号ブロックに関連するリソース及び／又はシーケンスはランダムアクセスリソース及び／又はランダムアクセスプリアンブルである。
【００１６】
第１態様又は上記いずれかの可能な実施形態において、第１態様の別の可能な実施形態では、該第４情報は、ランダムアクセス用のリソース及び／又はランダムアクセスシーケンスの集合の各々が設定されるか否かを指示することによって、該端末装置に送信する同期信号ブロックのリソース位置及び／又は数量を指示し、
設定される異なる該集合中のランダムアクセスリソース及び／又はシーケンスは異なる。
【００１７】
第１態様又は上記いずれかの可能な実施形態において、第１態様の別の可能な実施形態では、該第４情報中の、該各集合が設定されるか否かを指示するための情報は、該集合のインデックスの順でソートされる。
【００１８】
第１態様又は上記いずれかの可能な実施形態において、第１態様の別の可能な実施形態では、該ネットワーク装置が端末装置に、該端末装置に送信する同期信号ブロックのリソース位置及び／又は数量を指示することは、
該ネットワーク装置は物理報知チャネル（ＰＢＣＨ）中の情報、及び復調基準信号（ＤＭＲＳ）のリソース位置及び／又はシーケンス情報によって、送信する該同期信号ブロックのリソース位置及び／又は数量を該端末装置に指示することを含む。
【００１９】
第１態様又は上記いずれかの可能な実施形態において、第１態様の別の可能な実施形態では、該方法は、
該ネットワーク装置はランダムアクセス過程で該端末装置から送信されるメッセージを受信することと、
該ネットワーク装置はランダムアクセス過程で該端末装置から送信されるメッセージに占有されるリソース及び／又は含まれるランダムアクセスプリアンブルに基づいて、該端末装置が選択する同期信号ブロックを確定することと、
該端末装置が選択する同期信号ブロックの送信方式に応じて、該ネットワーク装置は該同期信号ブロックではないダウンリンク信号を送信することと、を更に含む。
【００２０】
第１態様又は上記いずれかの可能な実施形態において、第１態様の別の可能な実施形態では、異なるリソース位置の該同期信号ブロックは異なるビームによって送信される。
【００２１】
第２態様によれば、無線通信方法を提供し、
端末装置はネットワーク装置から送信される情報によって、該ネットワーク装置が該端末装置に送信する同期信号ブロックのリソース位置及び／又は数量を確定することと、
該端末装置は該リソース位置及び／又は数量の該同期信号ブロックを受信することと、を含む。
【００２２】
従って、本願の実施例では、ネットワーク装置は端末装置に、該端末装置に送信する同期信号ブロックのリソース位置及び／又は数量を指示し、端末装置は該リソース位置及び／又は数量の該同期信号ブロックを受信することができるため、端末装置はすべての可能な同期信号ブロックを検出する必要がなくなる。
【００２３】
第２態様において、第２態様の可能な実施形態では、該ネットワーク装置は送信する情報によって、該端末装置に送信する同期信号ブロックの数量を指示し、
該端末装置が該リソース位置及び／又は数量の該同期信号ブロックを受信することは、
該端末装置は該数量の該同期信号ブロックを受信し、且つ該数量の該同期信号ブロックを受信した後、存在可能な新しい同期信号ブロックの検出を停止することを含む。
【００２４】
第２態様又は上記いずれかの可能な実施形態において、第２態様の別の可能な実施形態では、該ネットワーク装置は送信する情報によって、該端末装置に送信する同期信号ブロックのリソース位置及び数量を指示し、
該端末装置が該リソース位置及び／又は数量の該同期信号ブロックを受信することは、
該端末装置は該数量の該同期信号ブロックを受信し、且つ指示されたリソース位置のみで該数量の該同期信号ブロックを受信し、他の位置において存在可能な同期信号の検出を停止することを含む。
【００２５】
第２態様又は上記いずれかの可能な実施形態において、第２態様の別の可能な実施形態では、該方法は、該端末装置は該ネットワーク装置から送信される第１情報を受信することを更に含み、
該端末装置はネットワーク装置から送信される情報によって、該ネットワーク装置が該端末装置に送信する同期信号ブロックのリソース位置及び／又は数量を確定することは、
該端末装置は該第１情報に基づいて、該ネットワーク装置が該端末装置に送信する同期信号ブロックのリソース位置及び／又は数量を確定することを含み、
該第１情報は該ネットワーク装置が送信する該同期信号ブロックのリソース位置インデックス又は該同期信号ブロックの識別子を含む。
【００２６】
第２態様又は上記いずれかの可能な実施形態において、第２態様の別の可能な実施形態では、該方法は、
該端末装置は該ネットワーク装置から送信される第２情報を受信することを更に含み、
該端末装置はネットワーク装置から送信される情報によって、該ネットワーク装置が該端末装置に送信する同期信号ブロックのリソース位置及び／又は数量を確定することは、
該端末装置は該第２情報に基づいて、該ネットワーク装置が該端末装置に送信する同期信号ブロックのリソース位置及び／又は数量を確定することを含み、
該第２情報は、予め設定された伝送可能な各同期信号ブロックが送信されるか否かを指示することによって、該端末装置に送信する同期信号ブロックのリソース位置及び／又は数量を指示する。
【００２７】
第２態様又は上記いずれかの可能な実施形態において、第２態様の別の可能な実施形態では、該第２情報中の、該各同期信号ブロックが送信されるか否かを指示するための情報は、該同期信号ブロックのリソース位置インデックス又は該同期信号ブロックの識別子でソートされる。
【００２８】
第２態様又は上記いずれかの可能な実施形態において、第２態様の別の可能な実施形態では、該方法は、
該端末装置は該ネットワーク装置から送信される第３情報を受信し、該第３情報は該ネットワーク装置から送信される該同期信号ブロックに対応するランダムアクセス用のリソース及び／又はランダムアクセスプリアンブルの構成情報を含むことと、
該構成情報に従って、該ネットワーク装置はランダムアクセスを行うことと、を更に含む。
【００２９】
第２態様又は上記いずれかの可能な実施形態において、第２態様の別の可能な実施形態では、該方法は、該端末装置は該ネットワーク装置から送信される第４情報を受信することを更に含み、
該端末装置はネットワーク装置から送信される情報によって、該ネットワーク装置が該端末装置に送信する同期信号ブロックのリソース位置及び／又は数量を確定することは、
該端末装置は該第４情報に基づいて、該ネットワーク装置が該端末装置に送信する同期信号ブロックのリソース位置及び／又は数量を確定し、該第４情報は送信する該同期信号ブロックに関連するリソース及び／又はシーケンスを設定する情報であることを含む。
【００３０】
第２態様又は上記いずれかの可能な実施形態において、第２態様の別の可能な実施形態では、該ネットワーク装置は該第４情報の属するメッセージでの位置によって、送信する該同期信号ブロックの位置及び／又は数量を指示する。
【００３１】
第２態様又は上記いずれかの可能な実施形態において、第２態様の別の可能な実施形態では、該方法は、
該端末装置は該ネットワーク装置から送信される第５情報を受信し、該第５情報は該同期信号ブロックのリソース位置と該第４情報の属するメッセージでの位置とのマッピング関係のモードを指示するためのものであることと、
該第５情報に基づいて、該マッピング関係を確定することと、を更に含む。
【００３２】
第２態様又は上記いずれかの可能な実施形態において、第２態様の別の可能な実施形態では、該第４情報は該端末装置に対してランダムアクセスを行うランダムアクセスリソース及び／又はランダムアクセスプリアンブルを設定する構成情報であり、該同期信号ブロックに関連するリソース及び／又はシーケンスはランダムアクセスリソース及び／又はランダムアクセスプリアンブルである。
【００３３】
第２態様又は上記いずれかの可能な実施形態において、第２態様の別の可能な実施形態では、該第４情報は、ランダムアクセス用のリソース及び／又はランダムアクセスシーケンスの集合の各々が設定されるか否かを指示することによって、該端末装置に送信する同期信号ブロックのリソース位置及び／又は数量を指示し、
設定される異なる該集合中のランダムアクセスリソース及び／又はシーケンスは異なる。
【００３４】
第２態様又は上記いずれかの可能な実施形態において、第２態様の別の可能な実施形態では、該第４情報中の、該各集合が設定されるか否かを指示するための情報は、該集合のインデックスの順でソートされる。
【００３５】
第２態様又は上記いずれかの可能な実施形態において、第２態様の別の可能な実施形態では、該端末装置はネットワーク装置の指示によって、該ネットワーク装置が該端末装置に送信する同期信号ブロックのリソース位置及び／又は数量を確定することは、
該端末装置は、該ネットワーク装置から送信される物理報知チャネル（ＰＢＣＨ）中の情報、及び復調基準信号（ＤＭＲＳ）のリソース位置及び／又はシーケンス情報に基づいて、該ネットワーク装置が該端末装置に送信する同期信号ブロックのリソース位置及び／又は数量を確定することを含む。
【００３６】
第２態様又は上記いずれかの可能な実施形態において、第２態様の別の可能な実施形態では、該方法は、
検出された同期信号ブロックから同期信号ブロックを選択することと、
選択した該同期信号ブロックに基づいて、ランダムアクセス用のリソース及び／又はランダムアクセスプリアンブルを確定することと、
確定した該リソース及び／又はランダムアクセスプリアンブルを利用してランダムアクセスを行うことと、を更に含む。
【００３７】
第２態様又は上記いずれかの可能な実施形態において、第２態様の別の可能な実施形態では、異なるリソース位置の該同期信号ブロックは異なるビームによって送信される。
【００３８】
第３態様によれば、無線通信方法を提供し、
同期信号ブロックと第１情報とのマッピング関係を確定することと、
該マッピング関係に基づいて、該同期信号ブロック及び／又は該第１情報を受信又は送信することと、を含む。
【００３９】
従って、本願の実施例では、ネットワーク装置は同期信号ブロックと第１情報とのマッピング関係に基づいて、該同期信号ブロック及び／又は該第１情報を送信すると、端末装置は同期信号ブロックと第１情報とのマッピング関係に基づいて、該同期信号ブロック及び／又は第１情報を受信することができ、それにより第１情報の送受信と同期信号ブロックの送受信との関連付けを実現でき、通信性能を向上させることができ、例えば、端末がすべての可能な位置で同期信号の受信を行うことを回避できる。
【００４０】
第３態様において、第３態様の可能な実施形態では、該マッピング関係は該同期信号ブロックのリソース位置と該第１情報とのマッピング関係である。
【００４１】
第３態様又は上記いずれかの可能な実施形態において、第３態様の別の可能な実施形態では、該マッピング関係は該同期信号ブロックのリソース位置又は該同期信号ブロックの識別子と該第１情報の属するメッセージでの位置とのマッピング関係である。
【００４２】
第３態様又は上記いずれかの可能な実施形態において、第３態様の別の可能な実施形態では、該方法はネットワーク装置によって実行され、
該方法は、該マッピング関係の採用するモードを指示するための第２情報を送信することを更に含む。
【００４３】
第３態様又は上記いずれかの可能な実施形態において、第３態様の別の可能な実施形態では、該方法は端末装置によって実行され、
該方法は、該マッピング関係の採用するモードを指示するための第２情報を受信することを更に含む。
【００４４】
第３態様又は上記いずれかの可能な実施形態において、第３態様の別の可能な実施形態では、該第１情報は該端末装置に対してランダムアクセスを行うランダムアクセスリソース及び／又はランダムアクセスプリアンブルを設定する構成情報である。
【００４５】
第３態様又は上記いずれかの可能な実施形態において、第３態様の別の可能な実施形態では、該第１情報はランダムアクセス用のリソース及び／又はランダムアクセスシーケンスの集合の各々が設定されるか否かを指示することによって、
設定される異なる集合中のランダムアクセスのリソース及び／又はシーケンスは異なる。
【００４６】
第３態様又は上記いずれかの可能な実施形態において、第３態様の別の可能な実施形態では、該第１情報中の、該各集合が設定されるか否かを指示するための情報は、該集合のインデックスの順でソートされる。
【００４７】
第３態様又は上記いずれかの可能な実施形態において、第３態様の別の可能な実施形態では、該第１情報はＰＢＣＨ中の情報、及びＤＭＲＳのリソース位置及び／又はシーケンス情報を含む。
【００４８】
第３態様又は上記いずれかの可能な実施形態において、第３態様の別の可能な実施形態では、該方法は端末装置によって実行され、該方法は、
検出された同期信号ブロックから同期信号ブロックを選択することと、
選択した該同期信号ブロックに基づいて、ランダムアクセス用のリソース及び／又はランダムアクセスプリアンブルを確定することと、
確定した該リソース及び／又はランダムアクセスプリアンブルを利用してランダムアクセスを行うことと、を更に含む。
【００４９】
第３態様又は上記いずれかの可能な実施形態において、第３態様の別の可能な実施形態では、該方法はネットワーク装置によって実行され、該方法は、
該ネットワーク装置はランダムアクセス過程で該端末装置から送信されるメッセージを受信することと、
該ネットワーク装置は、ランダムアクセス過程で該端末装置から送信されるメッセージに占有されるリソース及び／又は含まれるランダムアクセスプリアンブルに基づいて、該端末装置が選択する同期信号ブロックを確定することと、
該端末装置が選択する同期信号ブロックの送信方式に応じて、該ネットワーク装置は該同期信号ブロックではないダウンリンク信号を送信することと、を更に含む。
【００５０】
第３態様又は上記いずれかの可能な実施形態において、第３態様の別の可能な実施形態では、異なる同期信号ブロックは異なるビームによって送信される。
【００５１】
第４態様によれば、ネットワーク装置を提供し、上記第１態様又は第１態様の可能な実施形態のいずれかに記載の方法を実行することに用いられる。具体的に、該ネットワーク装置は、上記第１態様又は第１態様の可能な実施形態のいずれかに記載の方法を実行するためのユニットを備える。
【００５２】
第５態様によれば、端末装置を提供し、上記第２態様又は第２態様の可能な実施形態のいずれかに記載の方法を実行することに用いられる。具体的に、該端末装置は、上記第２態様又は第２態様の可能な実施形態のいずれかに記載の方法を実行するためのユニットを備える。
【００５３】
第６態様によれば、無線通信装置を提供し、上記第３態様又は第３態様の可能な実施形態のいずれかに記載の方法を実行することに用いられる。具体的に、該無線通信装置は、上記第３態様又は第３態様の可能な実施形態のいずれかに記載の方法を実行するためのユニットを備える。
【００５４】
第７態様によれば、ネットワーク装置を提供し、メモリ、プロセッサ、入力インタフェース及び出力インタフェースを備える。メモリ、プロセッサ、入力インタフェース及び出力インタフェースはバスシステムによって接続される。該メモリは命令を記憶することに用いられ、該プロセッサは該メモリに記憶される命令を実行し、上記第１態様又は第１態様の可能な実施形態のいずれかに記載の方法を実行することに用いられる。
【００５５】
第８態様によれば、端末装置を提供し、メモリ、プロセッサ、入力インタフェース及び出力インタフェースを備える。メモリ、プロセッサ、入力インタフェース及び出力インタフェースはバスシステムによって接続される。該メモリは命令を記憶することに用いられ、該プロセッサは該メモリに記憶される命令を実行し、上記第２態様又は第２態様の可能な実施形態のいずれかに記載の方法を実行することに用いられる。
【００５６】
第９態様によれば、無線通信装置を提供し、該ネットワーク装置はメモリ、プロセッサ、入力インタフェース及び出力インタフェースを備える。メモリ、プロセッサ、入力インタフェース及び出力インタフェースはバスシステムによって接続される。該メモリは命令を記憶することに用いられ、該プロセッサは該メモリに記憶される命令を実行し、上記第３態様又は第３態様の可能な実施形態のいずれかに記載の方法を実行することに用いられる。
【００５７】
第１０態様によれば、コンピュータ記憶媒体を提供し、上記態様のいずれかに記載の方法又はその可能な実施形態に記載の方法を実行するためのコンピュータソフトウェア命令を記憶することに用いられ、上記態様を実行するために設計されたプログラムを含む。
【００５８】
第１１態様によれば、コンピュータプログラム製品を提供し、上記態様のいずれかに記載の方法又はその可能な実施形態に記載の方法を実行するためのコンピュータソフトウェア命令を含み、コンピュータ記憶媒体に記憶され得る。
【００５９】
以下の実施例を説明して本願のこれらの態様又は他の態様が更に明瞭で分かりやすくなる。
【図面の簡単な説明】
【００６０】
【図１】図１は本願の実施例に係る無線通信システムの模式図である。
【図２】図２は本願の実施例に係る無線通信方法の模式的なフローチャートである。
【図３】図３は本願の実施例に係る無線通信方法の模式的なフローチャートである。
【図４】図４は本願の実施例に係るネットワーク装置の模式的なブロック図である。
【図５】図５は本願の実施例に係る端末装置の模式的なブロック図である。
【図６】図６は本願の実施例に係る通信装置の模式的なブロック図である。
【図７】図７は本願の実施例に係るシステムチップの模式的なブロック図である。
【図８】図８は本願の実施例に係る通信装置の模式的なブロック図である。
【発明を実施するための形態】
【００６１】
以下、本願の実施例の図面を参照して本願の実施例の技術案を明確で完全に説明する。
【００６２】
なお、本願の実施例の技術案は、例えば、モバイル通信用グローバルシステム（Ｇｌｏｂａｌ  Ｓｙｓｔｅｍ  ｏｆ  Ｍｏｂｉｌｅ  ｃｏｍｍｕｎｉｃａｔｉｏｎ、ＧＳＭ（登録商標）））、符号分割多元接続（Ｃｏｄｅ  Ｄｉｖｉｓｉｏｎ  Ｍｕｌｔｉｐｌｅ  Ａｃｃｅｓｓ、ＣＤＭＡ）システム、広帯域符号分割多元接続（Ｗｉｄｅｂａｎｄ  Ｃｏｄｅ  Ｄｉｖｉｓｉｏｎ  Ｍｕｌｔｉｐｌｅ  Ａｃｃｅｓｓ、ＷＣＤＭＡ（登録商標）））システム、汎用パケット無線サービス（Ｇｅｎｅｒａｌ  Ｐａｃｋｅｔ  Ｒａｄｉｏ  Ｓｅｒｖｉｃｅ、ＧＰＲＳ）、ＬＴＥシステム、ＬＴＥ周波数分割複信（Ｆｒｅｑｕｅｎｃｙ  Ｄｉｖｉｓｉｏｎ  Ｄｕｐｌｅｘ、ＦＤＤ）システム、ＬＴＥ時分割複信（Ｔｉｍｅ  Ｄｉｖｉｓｉｏｎ  Ｄｕｐｌｅｘ、ＴＤＤ）、ユニバーサル移動体通信システム（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ、ＵＭＴＳ）、ワールドワイド・インターオペラビリティ・フォー・マイクロウェーブ・アクセス（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ、ＷｉＭＡＸ）通信システム、新無線（Ｎｅｗ  Ｒａｄｉｏ、ＮＲ）又は将来の５Ｇシステム（新無線（Ｎｅｗ  Ｒａｄｉｏ、ＮＲ）とも呼ばれる）等の各種の通信システムに適用されることができる。
【００６３】
特に、本願の実施例の技術案は、非直交多元接続技術に基づく各種の通信システム、例えばスパース符号多元接続（Ｓｐａｒｓｅ  Ｃｏｄｅ  Ｍｕｌｔｉｐｌｅ  Ａｃｃｅｓｓ、ＳＣＭＡ）システム、低密度シグネチャ（Ｌｏｗ  Ｄｅｎｓｉｔｙ  Ｓｉｇｎａｔｕｒｅ、ＬＤＳ）システム等に適用されることができる。勿論、ＳＣＭＡシステム及びＬＤＳシステムは通信分野において他の名称と呼ばれてもよい。更に、本願の実施例の技術案は非直交多元接続技術を採用したマルチキャリア伝送システム、例えば非直交多元接続技術を採用した直交周波数分割多重（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ、ＯＦＤＭ）、フィルターバンクマルチキャリア（Ｆｉｌｔｅｒ  Ｂａｎｋ  Ｍｕｌｔｉ−Ｃａｒｒｉｅｒ、ＦＢＭＣ）、一般化周波数分割多重（Ｇｅｎｅｒａｌｉｚｅｄ  Ｆｒｅｑｕｅｎｃｙ  Ｄｉｖｉｓｉｏｎ  Ｍｕｌｔｉｐｌｅｘｉｎｇ、ＧＦＤＭ）、フィルター処理された直交周波数分割多重（Ｆｉｌｔｅｒｅｄ−ＯＦＤＭ、Ｆ−ＯＦＤＭ）システム等に適用されることができる。
【００６４】
本願の実施例の端末装置とは、ユーザー装置（Ｕｓｅｒ  Ｅｑｕｉｐｍｅｎｔ、ＵＥ）、アクセス端末、ユーザーユニット、ユーザー局、移動局、移動ステーション、遠隔局、遠隔端末、移動装置、ユーザー端末、端末、無線通信装置、ユーザーエージェント又はユーザーデバイスを指してもよい。アクセス端末は、セルラーホン、コードレス電話、セッション開始プロトコル（Ｓｅｓｓｉｏｎ  Ｉｎｉｔｉａｔｉｏｎ  Ｐｒｏｔｏｃｏｌ、ＳＩＰ）電話、ワイヤレスローカルループ（Ｗｉｒｅｌｅｓｓ  Ｌｏｃａｌ  Ｌｏｏｐ、ＷＬＬ）局、パーソナルデジタルアシスタント（Ｐｅｒｓｏｎａｌ  Ｄｉｇｉｔａｌ  Ａｓｓｉｓｔａｎｔ、ＰＤＡ）、無線通信機能を有するハンドヘルドデバイス、コンピューティング装置又は無線モデムに接続される他の処理装置、車載装置、ウェアラブル装置、将来の５Ｇネットワーク中の端末装置又は将来の発展型地上波公共移動通信ネットワーク（Ｐｕｂｌｉｃ  Ｌａｎｄ  Ｍｏｂｉｌｅ  Ｎｅｔｗｏｒｋ、ＰＬＭＮ）中の端末装置等であってもよいが、本願の実施例はそれらに限定されない。
【００６５】
本願の実施例のネットワーク装置は端末装置と通信するための装置であってもよく、該ネットワーク装置はＧＳＭ又はＣＤＭＡ中の基地局（Ｂａｓｅ  Ｔｒａｎｓｃｅｉｖｅｒ  Ｓｔａｔｉｏｎ、ＢＴＳ）であってもよく、ＷＣＤＭＡシステム中の基地局（ＮｏｄｅＢ、ＮＢ）であってもよく、ＬＴＥシステム中の発展型基地局（Ｅｖｏｌｕｔｉｏｎａｌ  ＮｏｄｅＢ、ｅＮＢ又はｅＮｏｄｅＢ）であってもよく、クラウド無線アクセスネットワーク（Ｃｌｏｕｄ  Ｒａｄｉｏ  Ａｃｃｅｓｓ  Ｎｅｔｗｏｒｋ、ＣＲＡＮ）シーンにおける無線コントローラであってもよい。或いは、該ネットワーク装置は中継局、アクセスポイント、車載装置、ウェアラブル装置、及び将来の５Ｇネットワーク中のネットワーク装置又は将来の発展型ＰＬＭＮネットワーク中のネットワーク装置等であってもよいが、本願の実施例はそれらに限定されない。
【００６６】
図１は本願の実施例の一応用シーンの模式図である。図１における通信システムは端末装置１０及びネットワーク装置２０を備え得る。ネットワーク装置２０は端末装置１０に通信サービスを提供してコアネットワークにアクセスすることに用いられ、端末装置１０はネットワーク装置２０から送信される同期信号、ブロードキャスト信号等を検索することでネットワークにアクセスし、それによりネットワークとの通信を行う。図１に示される矢印は、端末装置１０とネットワーク装置２０との間のセルラーリンクによって行われるアップリンク／ダウンリンク伝送を表す。
【００６７】
ＮＲ通信システムでは、マルチアンテナアレイ、ビームフォーミング等の設計が導入されており、例えば、元の１つのセルを複数のビームで被覆し、ビームゲインは高周波帯域による被覆減少をある程度補償できるとともに、相互干渉を軽減させ、システムパフォーマンスを強化することができる。
【００６８】
ＮＲでは、同期信号ブロック（ＳＳ  Ｂｌｏｃｋ）が導入されており、主に（Ｐｒｉｍａｒｙ  Ｓｙｎｃｈｒｏｎｉｚａｔｉｏｎ  Ｓｉｇｎａｌ、ＰＳＳ）及び（Ｓｅｃｏｎｄａｒｙ  Ｓｙｎｃｈｒｏｎｉｚａｔｉｏｎ  Ｓｉｇｎａｌ、ＳＳＳ）からなり、いくつかのＳＳ  Ｂｌｏｃｋは物理報知チャネル（Ｐｈｙｓｉｃａｌ  Ｂｒｏａｄｃａｓｔｉｎｇ  Ｃｈａｎｎｅｌ、ＰＢＣＨ）を更に含んでもよく、更に第３種の同期信号を含む可能性があり、本願の実施例ではＳＳ  ｂｌｏｃｋに含まれる信号のタイプを限定しない。
【００６９】
選択肢として、同期信号はＳＳ  Ｂｌｏｃｋを最小単位としてもよい。
【００７０】
選択肢として、異なる同期信号ブロックは、異なる送信ビームで送信するようにしてもよい。
【００７１】
選択肢として、ｉｎｉｔｉａｌ  ａｃｃｅｓｓ（初期アクセス）では、ＵＥはまずＳＳ  ｂｌｏｃｋを測定し、品質が比較的高い（又は最も高い）１つのＳＳ  ｂｌｏｃｋをアクセスターゲットとして選択し、後続のダウンリンク伝送（例えば、Ｍｓｇ２）を、この選択されたＳＳ  ｂｌｏｃｋに対応するビームによって伝送することが望まれている。この目的を達成するために、ＵＥはどのＳＳ  ｂｌｏｃｋ（即ちどのｂｅａｍ）を選択したかをネットワーク装置に通知する必要がある。ネットワーク装置はＳＳ  ｂｌｏｃｋを１組のランダムアクセスチャネル（Ｒａｎｄｏｍ  Ａｃｃｅｓｓ  Ｃｈａｎｎｅｌ、ＲＡＣＨ）リソース／ランダムアクセスプリアンブル（ｐｒｅａｍｂｌｅ）インデックス（ｉｎｄｉｃｅｓ）に関連付けることができる。
【００７２】
例えば、ＳＳ  ｂｌｏｃｋは２つあり、Ｓ０及びＳ１と記し、それぞれ２つのグループ（グループ０及びグループ１と記す）（集合と呼ばれてもよい）に対応し、各グループはＲＡＣＨの一部の時間領域／周波数領域リソース及び／又はｐｒｅａｍｂｌｅ  （ａ  ｓｕｂｓｅｔ  ｏｆ  ＲＡＣＨ  ｒｅｓｏｕｒｃｅｓ  ａｎｄ／ｏｒ  ｓｕｂｓｅｔ  ｏｆ  ｐｒｅａｍｂｌｅ  ｉｎｄｉｃｅｓ）を含み、２つのグループの要素は共通部分がない。ＵＥはグループ０から１つのＰＲＡＣＨを選択して対応の時間周波数位置でアップロードすると、ネットワーク装置はＵＥのこのＰＲＡＣＨを受信した後、ＵＥがＳＳ  ｂｌｏｃｋ  ０を選択したことを分かる。
【００７３】
図２は本願の実施例に係る無線通信方法２００の模式的なフローチャートである。該方法２００は以下の内容の少なくとも一部を含む。
【００７４】
２１０では、ネットワーク装置は端末装置に、該端末装置に送信する同期信号ブロックのリソース位置及び／又は数量を指示する。
【００７５】
選択肢として、ネットワーク装置は最小システム情報（Ｍｉｎｉｍｕｍ  Ｓｙｓｔｅｍ  Ｉｎｆｏｒｍａｔｉｏｎ、ＭＳＩ）によってブロードキャストの方式で端末装置に、該端末装置に送信する同期信号ブロックのリソース位置及び／又は数量を指示してもよい。
【００７６】
選択肢として、同期信号ブロックのリソース位置とは、システムの時間領域リソースにおける位置及び／又は周波数領域リソースにおける位置を指してもよい。
【００７７】
選択肢として、同期信号ブロックのリソース位置とは、同期信号ブロックの絶対位置（例えば、何番目のサブフレームにあるか又はどの周波数の周波数領域位置であるか）を指してもよい。
【００７８】
選択肢として、同期信号ブロックのリソース位置とは、同期信号ブロックの基準点に対する位置を指してもよく、例えば、該基準点は１つの固定基準点、又は別の同期信号ブロックであってもよい。
【００７９】
例えば、同期信号ブロックのリソース位置とは、同期信号ブロックの基準同期信号ブロックに対する時間差又は周波数領域リソースの差を指してもよい。
【００８０】
２２０では、該ネットワーク装置は該リソース位置及び／又は数量の該同期信号ブロックを該端末装置に送信する。
【００８１】
２３０では、端末装置はネットワーク装置から送信される情報によって、該ネットワーク装置が該端末装置に送信する同期信号ブロックのリソース位置及び／又は数量を確定する。
【００８２】
２４０では、該端末装置は該リソース位置及び／又は数量の該同期信号ブロックを受信する。
【００８３】
一実施形態では、該ネットワーク装置は送信する情報によって、該端末装置に送信する同期信号ブロックの数量を指示し、該端末装置は該数量の該同期信号ブロックを受信し、且つ該数量の該同期信号ブロックを受信した後、存在可能な新しい同期信号ブロックの検出を停止する。
【００８４】
１つのマルチビームシステムが最大６４個の同期信号ブロック（ＳＳ  ｂｌｏｃｋ）を伝送できるが、実際に４個のみを伝送したことを仮定する。端末装置が現在１個の同期信号ブロック（ＳＳ  ｂｌｏｃｋ）のみを検出し、且つ対応するＭＳＩを読み取ったことを仮定する。端末装置は現在のセルが実際に伝送した同期信号ブロック（ＳＳ  ｂｌｏｃｋ）の数量が４であることをＭＳＩから分かるため、検出を継続し、４個のＳＳ  ｂｌｏｃｋを検出した後、他の６０個のＳＳ  ｂｌｏｃｋの検出を停止でき、それによりＵＥの処理及び電力消費量を低減させる。
【００８５】
一実施形態では、該ネットワーク装置は送信する情報によって、該端末装置に送信する同期信号ブロックのリソース位置及び数量を指示し、該端末装置は該数量の該同期信号ブロックを受信し、且つ指示されたリソース位置のみで該数量の該同期信号ブロックを受信し、他の位置において存在可能な同期信号の検出を停止する。
【００８６】
例えば、１つのマルチビームシステムが最大６４個の同期信号ブロック（ＳＳ  ｂｌｏｃｋ）を伝送できるが、実際に４個のみを伝送したことを仮定する。端末装置は現在のセルが実際に伝送した同期信号ブロック（ＳＳ  ｂｌｏｃｋ）の数量が４であることをＭＳＩから分かるとともに、具体的なリソース位置も分かる場合、端末装置は対応するリソース位置で検出及び測定を行うことができ、それにより検出遅延を大幅に低減させ、電力消費量を減少させる。
【００８７】
一実施形態では、該ネットワーク装置は送信する情報によって、該端末装置に送信する同期信号ブロックのリソース位置を指示し、該端末装置は指示されたリソース位置のみで同期信号ブロックを受信し、他の位置において存在可能な同期信号の検出を停止する。
【００８８】
なお、本願の実施例では、ネットワーク装置が同期信号ブロックのリソース位置及び／又は数量を指示することは暗黙的な指示であり、即ち、ネットワーク装置はもともと他の情報を指示し、該他の情報によって、送信する同期信号ブロックのリソース位置及び／又は数量を導出し得る。
【００８９】
同様に、端末装置がネットワーク装置の指示に基づいて、送信する同期信号ブロックの数量及び／又はリソース位置を取得することも、他の情報から導出し得るものである。
【００９０】
従って、本願の実施例では、ネットワーク装置は端末装置に、該端末装置に送信する同期信号ブロックのリソース位置及び／又は数量を指示し、端末装置は該リソース位置及び／又は数量の該同期信号ブロックを受信することができるため、端末装置はすべての可能な同期信号ブロックを検出する必要がなくなる。
【００９１】
本願をより明瞭に理解するために、以下、いくつかの実施形態を参照して、ネットワーク装置がどのように端末装置に、該端末装置に送信する同期信号ブロックのリソース位置及び／又は数量を指示するかを説明する。
【００９２】
第１実施形態では、該ネットワーク装置は第１情報によって、送信する該同期信号ブロックのリソース位置及び／又は数量を該端末装置に指示し、該第１情報は送信する該同期信号ブロックのリソース位置インデックス又は該同期信号ブロックの識別子を含む。端末装置は該第１情報に基づいて、ネットワーク装置から送信される同期信号ブロックのリソース位置及び／又は数量を取得できる。
【００９３】
選択肢として、本願の実施例では、同期信号ブロックの識別子は同期信号ブロックのリソース位置に１対１対応してもよく、ネットワーク装置は同期信号ブロックの識別子を指示することで、該同期信号ブロックのリソース位置を指示できる。
【００９４】
例えば、１つのマルチビームシステムが最大６４個のＳＳ  ｂｌｏｃｋ（各ＳＳ  ｂｌｏｃｋのリソース位置が固定する）を伝送できるが、実際に２個のみを伝送したことを仮定する。各実際に伝送されたＳＳ  ｂｌｏｃｋは１つのｉｎｄｅｘ（このｉｎｄｅｘはある方式によって上記６４個のＳＳ  ｂｌｏｃｋの位置のうちの１つに対応する）に対応し、Ｉ０、Ｉ１と記される。この場合、具体的な指示方式は、Ｉｎｄｅｘ（Ｉ０及びＩ１）を含み、ここで、該指示情報は６＊２＝１２個のビットを占有できる。端末装置はＵＥがＩ０及びＩ１を読み取ったことを読み取った後、実際の時間領域位置に対応することができる。
【００９５】
なお、以上では実際に伝送されたＳＳ  ｂｌｏｃｋを例に説明したが、本願はそれに限定されず、実際に伝送されるものは他の数量であってもよく、実際に伝送されたものがＮ個である場合、指示情報に占有されるビットは６＊Ｎであるようにしてもよい。
【００９６】
第２実施形態では、該ネットワーク装置は第２情報によって、送信する同期信号ブロックのリソース位置及び／又は数量を該端末装置に指示し、該第２情報は予め設定された伝送可能な各同期信号ブロックが送信されるか否かを指示することによって、該端末装置に送信する同期信号ブロックのリソース位置及び／又は数量を指示する。
【００９７】
選択肢として、該第２情報中の、該各同期信号ブロックが送信されるか否かを指示するための情報は、該同期信号ブロックのリソース位置インデックス又は該同期信号ブロックの識別子でソートされる。
【００９８】
例えば、１つのマルチビームシステムが最大６４個のＳＳ  ｂｌｏｃｋ（各ＳＳ  ｂｌｏｃｋのリソース位置が固定する）を伝送できるが、実際に２個のみを伝送したことを仮定する。
【００９９】
６４個の可能なＳＳ  ｂｌｏｃｋ伝送時間領域リソースについては、６４個のビットによって指示でき、各ビットは１つの同期信号ブロックに対応する。対応するビットにおいて、対応するリソース位置で同期信号ブロックを送信することは１、対応するリソース位置で同期信号ブロックを送信していないことは０で表される。ＵＥは対応するビットによって、あるリソースでＳＳ  ｂｌｏｃｋを送信するか否かを分かる。
【０１００】
選択肢として、上記２つの実施形態では、ネットワーク装置は、送信する該同期信号ブロックに対応するランダムアクセス用のリソース及び／又はランダムアクセスプリアンブルの構成情報を含む第３情報を該端末装置に送信する。
【０１０１】
具体的には、同期信号ブロックとランダムアクセスリソース及び／又はランダムアクセスプリアンブル集合とを対応付け、同期信号ブロックとランダムアクセスリソース及び／又はランダムアクセスプリアンブル集合とは１対１対応してもよく、端末装置は同期信号ブロックを選択して同期を行った後、該同期信号ブロックに対応するランダムアクセスリソース及び／又はランダムアクセスプリアンブル集合中のアクセスリソース及び／又はランダムアクセスプリアンブルを選択してランダムアクセスを行うことができる。選択肢として、ランダムアクセスプリアンブルはランダムアクセスシーケンスと呼ばれる場合がある。
【０１０２】
例えば、第２実施形態では、６４個のビットはそれぞれ、６４個の同期信号ブロックが送信されるか否かを指示し、一部が送信される場合、ネットワーク装置はこの部分の同期信号ブロックに対応するランダムアクセスリソース及び／又はランダムアクセスプリアンブルの構成情報を送信してもよい。
【０１０３】
第３実施形態では、該ネットワーク装置は第４情報によって、送信する同期信号ブロックのリソース位置及び／又は数量を該端末装置に指示し、該第４情報は送信する該同期信号ブロックに関連するリソース及び／又はシーケンスを設定する情報である。
【０１０４】
選択肢として、該第４情報は該端末装置に対してランダムアクセスを行うランダムアクセスリソース及び／又はランダムアクセスプリアンブルを設定する構成情報であり、該同期信号ブロックに関連するリソース及び／又はシーケンスはランダムアクセスリソース及び／又はランダムアクセスプリアンブルである。なお、該同期信号ブロックに関連するリソース及び／又はシーケンスは他のリソース及び／又はシーケンスであってもよい。
【０１０５】
具体的に、ネットワーク装置は利用可能なランダムアクセスリソース及び／又はランダムアクセスプリアンブル集合の一部を設定することができ、端末装置は設定された集合を分かると、これらの集合に対応する同期信号ブロックが送信されることを分かる。
【０１０６】
選択肢として、該ネットワーク装置は該第４情報の属するメッセージでの位置によって、送信する該同期信号ブロックの位置及び／又は数量を指示する。
【０１０７】
具体的に、ネットワーク装置はメッセージによってランダムアクセスリソース及び／又はランダムアクセスプリアンブル集合を設定することができ、メッセージ中の構成情報を含むための具体的な位置は特定の同期信号ブロックに対応するようにしてもよい。例えば、メッセージ中に、構成情報を含むための位置が３個ある（その中、１つの位置は１つのランダムアクセスリソース及び／又はランダムアクセスプリアンブル集合の構成情報を含むためのものである）場合、３個の同期信号ブロックが送信されることを表し、ここで、各位置は１つの同期信号ブロックに対応する。
【０１０８】
選択肢として、該ネットワーク装置は、該同期信号ブロックのリソース位置と該第４情報の属するメッセージでの位置とのマッピング関係のモードを指示するための第５情報を該端末装置に送信する。
【０１０９】
具体的に、ランダムアクセスリソース及び／又はランダムアクセスプリアンブル集合を設定するための設定メッセージはＮ個の設定位置を含み、具体的に、該Ｎ個の設定位置が如何に同期信号ブロックにマッピングされるかは第５情報によって指示されるようにしてもよい。
【０１１０】
例えば、１番目の設定位置はインデックスが１の同期信号ブロックにマッピングされ、２番目の設定位置はインデックスが２の同期信号ブロックにマッピングされ、３番目の設定位置はインデックスが３の同期信号ブロックにマッピングされ、以下類似である。又は、１番目の設定位置はインデックスが１の同期信号ブロックにマッピングされ、２番目の設定位置はインデックスが３の同期信号ブロックにマッピングされ、３番目の設定位置はインデックスが５の同期信号ブロックにマッピングされ、以下類似である。
【０１１１】
選択肢として、該第４情報は、ランダムアクセス用のリソース及び／又はランダムアクセスシーケンスの集合の各々が設定されるか否かを指示することによって、該端末装置に送信する同期信号ブロックのリソース位置及び／又は数量を指示し、ここで、設定される異なる該集合中のランダムアクセスリソース及び／又はシーケンスは異なる。
【０１１２】
選択肢として、該第４情報中の、該各集合が設定されるか否かを指示するための情報は、該集合のインデックスの順でソートされる。
【０１１３】
例えば、１つのマルチビームシステムが最大６４個のＳＳ  ｂｌｏｃｋ（各ＳＳ  ｂｌｏｃｋのリソース位置が固定する）を伝送できるが、実際に２個のみを伝送したことを仮定する。
【０１１４】
６４個の可能なＳＳ  ｂｌｏｃｋの伝送に対応する６４個のランダムアクセスリソース及び／又はランダムアクセスシーケンス集合については、６４個のビットによって指示し、各ビットは１つの集合に対応できる。対応するビットにおいて、集合を設定することは１、集合を設定していないことは０で表されるようにしてもよい。ＵＥは対応するビットによってある集合が設定されるか否かを分かり、更に対応する同期信号ブロックが送信されるか否かを分かる。
【０１１５】
第４実施形態では、該ネットワーク装置は、物理報知チャネル（ＰＢＣＨ）中の情報、及び復調基準信号（ＤＭＲＳ）のリソース位置及び／又はシーケンス情報によって、送信する該同期信号ブロックのリソース位置及び／又は数量を該端末装置に指示する。
【０１１６】
例えば、ＰＢＣＨ中の３ビットの情報、検出されたＤＭＲＳのリソース位置及びシーケンスによって、他の３ビットの情報（例えば、可能な４個のリソース位置であり、各リソース位置は２種のシーケンスを送信する可能性があり、検出された復調基準信号（Ｄｅｍｏｄｕｌａｔｉｏｎ  Ｒｅｆｅｒｅｎｃｅ  Ｓｉｇｎａｌ、ＤＭＲＳ）のリソース位置及びシーケンスによって、３ビットの情報を取得できる）を取得し、該６ビットの情報に基づいて、同期信号ブロックのリソース位置を取得できる。
【０１１７】
選択肢として、本願の実施例では、端末装置は検出された同期信号ブロックから同期信号ブロックを選択し（例えば、信号品質が最も高い又は比較的高い同期信号ブロックを選択する）、選択した該同期信号ブロックに基づいて、ランダムアクセス用のリソース及び／又はランダムアクセスプリアンブルを確定し、確定した該リソース及び／又はランダムアクセスプリアンブルを利用してランダムアクセスを行う。
【０１１８】
選択肢として、該ネットワーク装置はランダムアクセス過程で該端末装置から送信されるメッセージを受信し、該ネットワーク装置はランダムアクセス過程で該端末装置から送信されるメッセージに占有されるリソース及び／又は含まれるランダムアクセスプリアンブルに基づいて、該端末装置が選択する同期信号ブロックを確定し、該端末装置が選択する同期信号ブロックの送信方式に応じて、該ネットワーク装置は該同期信号ブロックではないダウンリンク信号を送信する。例えば、選択する同期信号ブロックの送信ビームに応じて他のダウンリンク信号を送信できる。
【０１１９】
選択肢として、異なるリソース位置の該同期信号ブロックは異なるビームによって送信される。
【０１２０】
図３は本願の実施例に係る無線通信方法３００の模式的なフローチャートである。該方法３００は以下の内容の少なくとも一部を含む。
【０１２１】
３１０では、ネットワーク装置は同期信号ブロックと第１情報とのマッピング関係を確定する。
【０１２２】
選択肢として、同期信号ブロックと第１情報とのマッピング関係とは、同期信号ブロックの１つ又はいくつかの態様と第１情報の１つ又はいくつかの態様との関連関係を指す。
【０１２３】
３２０では、該マッピング関係に基づいて、ネットワーク装置は該同期信号ブロック及び／又は該第１情報を送信する。
【０１２４】
３１０では、端末装置は同期信号ブロックと第１情報とのマッピング関係を確定する。
【０１２５】
３４０では、該マッピング関係に基づいて、端末装置は該同期信号ブロック及び／又は該第１情報を受信する。
【０１２６】
従って、本願の実施例では、ネットワーク装置は同期信号ブロックと第１情報とのマッピング関係に基づいて、該同期信号ブロック及び／又は該第１情報を送信すると、端末装置は同期信号ブロックと第１情報とのマッピング関係に基づいて、該同期信号ブロック及び／又は第１情報を受信し、それにより第１情報の送受信と同期信号ブロックの送受信との関連付けを実現でき、通信性能を向上させることができ、例えば、端末がすべての可能な位置で同期信号の受信を行うことを回避できる。
【０１２７】
選択肢として、該マッピング関係は該同期信号ブロックのリソース位置と該第１情報とのマッピング関係である。
【０１２８】
具体的に、該マッピング関係は該同期信号ブロックのリソース位置と該第１情報の具体的なコンテンツ又は該第１情報の属するメッセージでの位置とのマッピング関係である。
【０１２９】
選択肢として、該マッピング関係は該同期信号ブロックのリソース位置又は該同期信号ブロックの識別子と該第１情報の属するメッセージでの位置とのマッピング関係である。
【０１３０】
選択肢として、該第１情報は該端末装置に対してランダムアクセスを行うランダムアクセスリソース及び／又はランダムアクセスプリアンブルを設定する構成情報である。
【０１３１】
具体的に、ネットワーク装置は利用可能なランダムアクセスリソース及び／又はランダムアクセスプリアンブル集合の一部を設定することができ、端末装置は設定された集合を分かると、これらの集合に対応する同期信号ブロックが送信されることを分かる。
【０１３２】
具体的に、ネットワーク装置はメッセージによってランダムアクセスリソース及び／又はランダムアクセスプリアンブル集合を設定することができ、メッセージ中の構成情報を含むための具体的な位置は特定の同期信号ブロックに対応するようにしてもよい。例えば、メッセージ中に、構成情報を含むための位置が３個ある（その中、１つの位置は１つのランダムアクセスリソース及び／又はランダムアクセスプリアンブル集合の構成情報を含むためのものである）場合、３個の同期信号ブロックが送信されることを表し、ここで、各位置は１つの同期信号ブロックに対応する。
【０１３３】
選択肢として、ネットワーク装置は該マッピング関係の採用するモードを指示するための第２情報を送信する。
【０１３４】
選択肢として、端末装置は該マッピング関係の採用するモードを指示するための第２情報を受信する。
【０１３５】
具体的に、ランダムアクセスリソース及び／又はランダムアクセスプリアンブル集合を設定するための各設定メッセージはＮ個の設定位置を含み、具体的に、該Ｎ個の設定位置が如何に同期信号ブロックにマッピングされるかは第５情報によって指示されるようにしてもよい。
【０１３６】
例えば、１番目の設定位置はインデックスが１の同期信号ブロックにマッピングされ、２番目の設定位置はインデックスが２の同期信号ブロックにマッピングされ、３番目の設定位置はインデックスが３の同期信号ブロックにマッピングされ、以下類似である。又は、１番目の設定位置はインデックスが１の同期信号ブロックにマッピングされ、２番目の設定位置はインデックスが３の同期信号ブロックにマッピングされ、３番目の設定位置はインデックスが５の同期信号ブロックにマッピングされ、以下類似である。
【０１３７】
選択肢として、該第１情報はランダムアクセス用のリソース及び／又はランダムアクセスシーケンスの集合の各々が設定されるか否かを指示し、設定される異なる該集合中のランダムアクセスリソース及び／又はシーケンスは異なる。
【０１３８】
選択肢として、該第１情報中の、該各集合が設定されるか否かを指示するための情報は、該集合のインデックスの順でソートされる。
【０１３９】
例えば、１つのマルチビームシステムが最大６４個のＳＳ  ｂｌｏｃｋ（各ＳＳ  ｂｌｏｃｋのリソース位置が固定する）を伝送できるが、実際に２個のみを伝送したことを仮定する。
【０１４０】
６４個の可能なＳＳ  ｂｌｏｃｋの伝送に対応する６４個のランダムアクセスリソース及び／又はランダムアクセスシーケンス集合については、６４個のビットによって指示し、各ビットは１つの集合に対応できる。対応するビットにおいて、集合を設定することは１、集合を設定していないことは０で表されるようにしてもよい。ＵＥは対応するビットによってある集合が設定されるか否かを分かり、更に対応する同期信号ブロックが送信されるか否かを分かる。
【０１４１】
選択肢として、該第１情報はＰＢＣＨ中の情報、及びＤＭＲＳのリソース位置及び／又はシーケンス情報を含む。
【０１４２】
選択肢として、本願の実施例では、端末装置は検出された同期信号ブロックから同期信号ブロックを選択し（例えば、信号品質が最も高い又は比較的高い同期信号ブロックを選択する）、選択した該同期信号ブロックに基づいて、ランダムアクセス用のリソース及び／又はランダムアクセスプリアンブルを確定し、確定した該リソース及び／又はランダムアクセスプリアンブルを利用してランダムアクセスを行う。
【０１４３】
選択肢として、該ネットワーク装置はランダムアクセス過程で該端末装置から送信されるメッセージを受信し、該ネットワーク装置はランダムアクセス過程で該端末装置から送信されるメッセージに占有されるリソース及び／又は含まれるランダムアクセスプリアンブルに基づいて、該端末装置が選択する同期信号ブロックを確定し、該端末装置が選択する同期信号ブロックの送信方式に応じて、該ネットワーク装置は該同期信号ブロックではないダウンリンク信号を送信する。例えば、選択する同期信号ブロックの送信ビームに応じて他のダウンリンク信号を送信できる。
【０１４４】
選択肢として、異なる同期信号ブロックは異なるビームによって送信される。
【０１４５】
なお、上記方法２００及び３００中の特徴は矛盾しない限り、組み合わせて使用することができ、本願の実施例は簡潔さのために、ここでは繰り返して説明しない。
【０１４６】
図４は本願の実施例に係るネットワーク装置４００の模式的なブロック図である。図４に示すように、該ネットワーク装置４００は指示ユニット４１０及び通信ユニット４２０を備える。
【０１４７】
該指示ユニット４１０は、端末装置に、該端末装置に送信する同期信号ブロックのリソース位置及び／又は数量を指示することに用いられ、該通信ユニット４２０は、該リソース位置及び／又は数量の該同期信号ブロックを該端末装置に送信することに用いられる。
【０１４８】
なお、該図４に示されるネットワーク装置４００は方法２００中のネットワーク装置によって実行される対応の操作を実行でき、簡潔さのために、ここでは繰り返して説明しない。
【０１４９】
図５は本願の実施例に係る端末装置５００の模式的なブロック図である。図５に示すように、該端末装置５００は処理ユニット５１０及び通信ユニット５２０を備える。
【０１５０】
該処理ユニット５１０は、ネットワーク装置から送信される情報によって、該ネットワーク装置が該端末装置に送信する同期信号ブロックのリソース位置及び／又は数量を確定することに用いられ、該通信ユニット５２０は、該リソース位置及び／又は数量の該同期信号ブロックを受信することに用いられる。
【０１５１】
なお、該図５に示される端末装置５００は方法２００中の端末装置によって実行される対応の操作を実行でき、簡潔さのために、ここでは繰り返して説明しない。
【０１５２】
図６は本願の実施例に係る無線通信装置６００の模式的なブロック図である。図６に示すように、該端末装置６００は処理ユニット６１０及び通信ユニット６２０を備える。
【０１５３】
該処理ユニット６１０は同期信号ブロックと第１情報とのマッピング関係を確定することに用いられ、該通信ユニット６２０は、該マッピング関係に基づいて、該同期信号ブロック及び／又は該第１情報を受信又は送信することに用いられる。
【０１５４】
なお、該図６に示される通信装置６００は３００中の端末装置又はネットワーク装置によって実行される対応の操作を実行でき、簡潔さのために、ここでは繰り返して説明しない。
【０１５５】
図７は本願の実施例に係るシステムチップ７００の模式的な構造図である。図７に示されるシステムチップ７００は入力インタフェース７０１、出力インタフェース７０２、プロセッサ７０３及びメモリ７０４を備え、それらは内部通信接続線によって接続されてもよく、前記プロセッサ７０３は前記メモリ６０４中のコードを実行する。
【０１５６】
選択肢として、前記コードが実行される場合、前記プロセッサ７０３は方法の実施例中のネットワーク装置によって実行される方法を実現する。簡潔さのために、ここでは繰り返して説明しない。
【０１５７】
選択肢として、前記コードが実行される場合、前記プロセッサ７０３は方法の実施例中の端末装置によって実行される方法を実現する。簡潔さのために、ここでは繰り返して説明しない。
【０１５８】
図８は本願の実施例に係る通信装置８００の模式的なブロック図である。図８に示すように、該通信装置８００はプロセッサ８１０及びメモリ８２０を備える。該メモリ８２０にはプログラムコードが記憶されてもよく、該プロセッサ８１０は該メモリ８２０に記憶されるプログラムコードを実行できる。
【０１５９】
選択肢として、図８に示すように、該通信装置８００は送受信機８３０を備えてもよく、プロセッサ８１０は送受信機８３０の外部通信を制御できる。
【０１６０】
選択肢として、該プロセッサ８１０はメモリ８２０に記憶されるプログラムコードを呼び出して、方法の実施例中のネットワーク装置の対応する操作を実行することができ、簡潔さのために、ここでは繰り返して説明しない。
【０１６１】
選択肢として、該プロセッサ８１０はメモリ８２０に記憶されるプログラムコードを呼び出して、方法の実施例中の端末装置の対応する操作を実行することができ、簡潔さのために、ここでは繰り返して説明しない。
【０１６２】
なお、本願の実施例に係るプロセッサは、信号処理能力を有する集積回路チップでありうる。実現の過程において、上記方法の実施例の各ステップはプロセッサにおけるハードウェアの集積論理回路又はソフトウェアの形態の命令によって行われる。上記プロセッサは汎用プロセッサ、デジタル信号プロセッサ（Ｄｉｇｉｔａｌ  Ｓｉｇｎａｌ  Ｐｒｏｃｅｓｓｏｒ、ＤＳＰ）、特定用途向け集積回路（Ａｐｐｌｉｃａｔｉｏｎ  Ｓｐｅｃｉｆｉｃ  Ｉｎｔｅｇｒａｔｅｄ  Ｃｉｒｃｕｉｔ、ＡＳＩＣ）、フィールドプログラマブルゲートアレイ（Ｆｉｅｌｄ  Ｐｒｏｇｒａｍｍａｂｌｅ  Ｇａｔｅ  Ａｒｒａｙ、ＦＰＧＡ）又は他のプログラマブルロジックデバイス、ディスクリートゲート又はトランジスタロジック装置、ディスクリートハードウェアユニットであってもよい。本願の実施例に開示されている各方法、ステップ及び論理ブロック図を実現又は実行できる。汎用プロセッサはマイクロプロセッサであってもよく、或いは該プロセッサは任意の通常のプロセッサ等であってもよい。本願の実施例に開示されている方法のステップは直接にハードウェアデコードプロセッサによって実行され、又はデコードプロセッサにおけるハードウェアとソフトウェアモジュールとの組合せによって実行される。ソフトウェアモジュールはランダムアクセスメモリ、フラッシュメモリ、読み出し専用メモリ、プログラマブル読み出し専用メモリ又は電気的消去可能プログラマブルメモリ、レジスタ等の本分野の成熟した記憶媒体に位置してもよい。該記憶媒体はメモリに位置し、プロセッサはメモリにおける情報を読み取り、そのハードウェアと組み合わせて上記方法のステップを行う。
【０１６３】
なお、本願の実施例のメモリは揮発性メモリ又は不揮発性メモリであり、又は揮発性メモリと不揮発性メモリの両方を含む。不揮発性メモリは読み出し専用メモリ（Ｒｅａｄ−Ｏｎｌｙ  Ｍｅｍｏｒｙ、ＲＯＭ）、プログラマブル読み出し専用メモリ（Ｐｒｏｇｒａｍｍａｂｌｅ  ＲＯＭ、ＰＲＯＭ）、消去可能プログラマブル読み出し専用メモリ（Ｅｒａｓａｂｌｅ  ＰＲＯＭ、ＥＰＲＯＭ）、電気的消去可能プログラマブル読み出し専用メモリ（Ｅｌｅｃｔｒｉｃａｌｌｙ  ＥＰＲＯＭ、ＥＥＰＲＯＭ）又はフラッシュメモリであってもよい。揮発性メモリはランダムアクセスメモリ（Ｒａｎｄｏｍ  Ａｃｃｅｓｓ  Ｍｅｍｏｒｙ、ＲＡＭ）であってもよく、外部高速キャッシュメモリとして機能する。制限的ではなく例示的に説明すると、様々な形態のＲＡＭは使用可能であり、例えば、スタティックランダムアクセスメモリ（Ｓｔａｔｉｃ  ＲＡＭ、ＳＲＡＭ）、ダイナミックランダムアクセスメモリ（Ｄｙｎａｍｉｃ  ＲＡＭ、ＤＲＡＭ）、同期ダイナミックランダムアクセスメモリ（Ｓｙｎｃｈｒｏｎｏｕｓ  ＤＲＡＭ、ＳＤＲＡＭ）、ダブルデータレート同期ダイナミックランダムアクセスメモリ（Ｄｏｕｂｌｅ  Ｄａｔａ  Ｒａｔｅ  ＳＤＲＡＭ、ＤＤＲ  ＳＤＲＡＭ）、拡張同期ダイナミックランダムアクセスメモリ（Ｅｎｈａｎｃｅｄ  ＳＤＲＡＭ、ＥＳＤＲＡＭ）、シンクリンクダイナミックランダムアクセスメモリ（Ｓｙｎｃｈｌｉｎｋ  ＤＲＡＭ、ＳＬＤＲＡＭ）及びダイレクトランバスランダムアクセスメモリ（Ｄｉｒｅｃｔ  Ｒａｍｂｕｓ  ＲＡＭ、ＤＲ  ＲＡＭ）が挙げられる。なお、本明細書に記載のシステム及び方法のメモリはこれらのメモリ及び任意の適切なタイプのメモリを含むが、それらに限定されない。
【０１６４】
当業者であれば、本明細書に開示されている実施例を参照して説明された各例のユニット及びアルゴリズムのステップを電子ハードウェア、又はコンピュータソフトウェアと電子ハードウェアとの組合せによって実現できると理解できる。これらの機能をハードウェアで実行するかソフトウェアで実行するかは、技術案の特定の応用及び設計制約条件に応じて決められる。当業者は本願の範囲を逸脱せずに、説明された機能を各特定の応用に応じて異なる方法で実現できる。
【０１６５】
当業者であれば、説明の便宜及び簡潔のために、上記説明したシステム、装置及びユニットの具体的な動作プロセスは、上記方法の実施例の対応するプロセスを参照すればよいと理解できるため、ここで繰り返して説明しない。
【０１６６】
本願によるいくつかの実施例では、開示されているシステム、装置及び方法を他の形態で実現できると理解すべきである。例えば、以上説明された装置の実施例は単に例示的なものであり、例えば、前記ユニットの分割は、単に１種のロジック機能分割であり、実際の実装では別の分割方式を採用してもよく、例えば複数のユニット又は要素を別のシステムに結合又は集積し、又はいくつかの特徴を無視したり実行しなかったりする。また、表示又は検討された相互の結合又は直接結合又は通信接続はいくつかのインタフェース、装置又はユニットを介した間接結合又は通信接続であってもよく、電気的、機械的又は他の形態としてもよい。
【０１６７】
前記分離部材として説明されたユニットは物理的に分離しているものであってもよく、物理的に分離しているものでなくてもよく、ユニットとして表示される部材は物理ユニットであってもよく物理ユニットでなくてもよく、１つの場所に位置してもよく、複数のネットワークユニットに分散してもよい。実際の必要に応じて一部又はすべてのユニットを選択して本実施例の技術案の目的を実現することができる。
【０１６８】
また、本願の実施例の各々における各機能ユニットは１つの処理ユニットに集積されてもよく、別々に物理的に存在してもよく、２つ又は２つ以上のユニットは１つのユニットに集積されてもよい。
【０１６９】
前記機能はソフトウェア機能ユニットの形態で実現され独立した製品として販売又は使用される場合、コンピュータ可読記憶媒体に記憶されてもよい。このような理解に基づき、本願の技術案は本質的に又は従来技術に貢献する部分又は該技術案の一部はソフトウェア製品の形態で実施され得ており、該コンピュータソフトウェア製品は１つの記憶媒体に記憶され、１つのコンピュータ装置（パーソナルコンピュータ、サーバ、又はネットワーク装置等であってもよい）に本願の実施例の各々に係る方法の全て又は一部のステップを実行させるための複数の命令を含む。上記記憶媒体は、Ｕディスク、モバイルディスク、読み出し専用メモリ（Ｒｅａｄ−Ｏｎｌｙ  Ｍｅｍｏｒｙ、ＲＯＭ）、ランダムアクセスメモリ（Ｒａｎｄｏｍ  Ａｃｃｅｓｓ  Ｍｅｍｏｒｙ、ＲＡＭ）、磁気ディスク又は光ディスク等のプロクラムコードを記憶可能な種々の媒体を含む。
【０１７０】
以上の説明は本願の具体的な実施形態に過ぎず、本願の保護範囲はそれに限定されるものではなく、当業者が本願に開示されている技術範囲を逸脱せずに容易に想到し得る変更や置換は、すべて本願の保護範囲に属する。従って、本願の保護範囲は特許請求の範囲の保護範囲に準じるべきである。
【図１】
2021502007.tif 000003
【図２】
2021502007.tif 000004
【図３】
2021502007.tif 000005
【図４】
2021502007.tif 000006
【図５】
2021502007.tif 000007
【図６】
2021502007.tif 000008
【図７】
2021502007.tif 000009
【図８】
2021502007.tif 000010
【手続補正書】
【提出日】令和2年7月22日(2020.7.22)
【手続補正１】
【補正対象書類名】明細書
【補正対象項目名】００１３
【補正方法】変更
【補正の内容】
【００１３】
第１態様又は上記いずれかの可能な実施形態において、第１態様の別の可能な実施形態では、該ネットワーク装置は該第４情報の属するメッセージでの位置によって、送信する該同期信号ブロックのリソース位置及び／又は数量を指示する。
【手続補正２】
【補正対象書類名】明細書
【補正対象項目名】００２４
【補正方法】変更
【補正の内容】
【００２４】
第２態様又は上記いずれかの可能な実施形態において、第２態様の別の可能な実施形態では、該ネットワーク装置は送信する情報によって、該端末装置に送信する同期信号ブロックのリソース位置及び数量を指示し、
該端末装置が該リソース位置及び／又は数量の該同期信号ブロックを受信することは、
該端末装置は該数量の該同期信号ブロックを受信し、且つ指示されたリソース位置のみで該数量の該同期信号ブロックを受信し、他の位置において存在可能な同期信号ブロックの検出を停止することを含む。
【手続補正３】
【補正対象書類名】明細書
【補正対象項目名】００３０
【補正方法】変更
【補正の内容】
【００３０】
第２態様又は上記いずれかの可能な実施形態において、第２態様の別の可能な実施形態では、該ネットワーク装置は該第４情報の属するメッセージでの位置によって、送信する該同期信号ブロックのリソース位置及び／又は数量を指示する。
【手続補正４】
【補正対象書類名】明細書
【補正対象項目名】００４５
【補正方法】変更
【補正の内容】
【００４５】
第３態様又は上記いずれかの可能な実施形態において、第３態様の別の可能な実施形態では、該第１情報はランダムアクセス用のリソース及び／又はランダムアクセスシーケンスの集合の各々が設定されるか否かを指示し、
設定される異なる集合中のランダムアクセスのリソース及び／又はシーケンスは異なる。
【手続補正５】
【補正対象書類名】明細書
【補正対象項目名】００５６
【補正方法】変更
【補正の内容】
【００５６】
第９態様によれば、無線通信装置を提供し、該無線通信装置はメモリ、プロセッサ、入力インタフェース及び出力インタフェースを備える。メモリ、プロセッサ、入力インタフェース及び出力インタフェースはバスシステムによって接続される。該メモリは命令を記憶することに用いられ、該プロセッサは該メモリに記憶される命令を実行し、上記第３態様又は第３態様の可能な実施形態のいずれかに記載の方法を実行することに用いられる。
【手続補正６】
【補正対象書類名】明細書
【補正対象項目名】００６２
【補正方法】変更
【補正の内容】
【００６２】
なお、本願の実施例の技術案は、例えば、モバイル通信用グローバルシステム（Ｇｌｏｂａｌ  Ｓｙｓｔｅｍ  ｏｆ  Ｍｏｂｉｌｅ  ｃｏｍｍｕｎｉｃａｔｉｏｎ、ＧＳＭ（登録商標）））、符号分割多元接続（Ｃｏｄｅ  Ｄｉｖｉｓｉｏｎ  Ｍｕｌｔｉｐｌｅ  Ａｃｃｅｓｓ、ＣＤＭＡ）システム、広帯域符号分割多元接続（Ｗｉｄｅｂａｎｄ  Ｃｏｄｅ  Ｄｉｖｉｓｉｏｎ  Ｍｕｌｔｉｐｌｅ  Ａｃｃｅｓｓ、ＷＣＤＭＡ（登録商標）））システム、汎用パケット無線サービス（Ｇｅｎｅｒａｌ  Ｐａｃｋｅｔ  Ｒａｄｉｏ  Ｓｅｒｖｉｃｅ、ＧＰＲＳ）システム、ＬＴＥシステム、ＬＴＥ周波数分割複信（Ｆｒｅｑｕｅｎｃｙ  Ｄｉｖｉｓｉｏｎ  Ｄｕｐｌｅｘ、ＦＤＤ）システム、ＬＴＥ時分割複信（Ｔｉｍｅ  Ｄｉｖｉｓｉｏｎ  Ｄｕｐｌｅｘ、ＴＤＤ）、ユニバーサル移動体通信システム（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ、ＵＭＴＳ）、ワールドワイド・インターオペラビリティ・フォー・マイクロウェーブ・アクセス（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ、ＷｉＭＡＸ）通信システム、新無線（Ｎｅｗ  Ｒａｄｉｏ、ＮＲ）又は将来の５Ｇシステム（新無線（Ｎｅｗ  Ｒａｄｉｏ、ＮＲ）とも呼ばれる）等の各種の通信システムに適用されることができる。
【手続補正７】
【補正対象書類名】明細書
【補正対象項目名】００６３
【補正方法】変更
【補正の内容】
【００６３】
特に、本願の実施例の技術案は、非直交多元接続技術に基づく各種の通信システム、例えばスパース符号多元接続（Ｓｐａｒｓｅ  Ｃｏｄｅ  Ｍｕｌｔｉｐｌｅ  Ａｃｃｅｓｓ、ＳＣＭＡ）システム、低密度シグネチャ（Ｌｏｗ  Ｄｅｎｓｉｔｙ  Ｓｉｇｎａｔｕｒｅ、ＬＤＳ）システム等に適用されることができる。勿論、ＳＣＭＡシステム及びＬＤＳシステムは通信分野において他の名称と呼ばれてもよい。更に、本願の実施例の技術案は非直交多元接続技術を採用したマルチキャリア伝送システム、例えば非直交多元接続技術を採用した直交周波数分割多重（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ、ＯＦＤＭ）システム、フィルターバンクマルチキャリア（Ｆｉｌｔｅｒ  Ｂａｎｋ  Ｍｕｌｔｉ−Ｃａｒｒｉｅｒ、ＦＢＭＣ）システム、一般化周波数分割多重（Ｇｅｎｅｒａｌｉｚｅｄ  Ｆｒｅｑｕｅｎｃｙ  Ｄｉｖｉｓｉｏｎ  Ｍｕｌｔｉｐｌｅｘｉｎｇ、ＧＦＤＭ）システム、フィルター処理された直交周波数分割多重（Ｆｉｌｔｅｒｅｄ−ＯＦＤＭ、Ｆ−ＯＦＤＭ）システム等に適用されることができる。
【手続補正８】
【補正対象書類名】明細書
【補正対象項目名】００８５
【補正方法】変更
【補正の内容】
【００８５】
一実施形態では、該ネットワーク装置は送信する情報によって、該端末装置に送信する同期信号ブロックのリソース位置及び数量を指示し、該端末装置は該数量の該同期信号ブロックを受信し、且つ指示されたリソース位置のみで該数量の該同期信号ブロックを受信し、他の位置において存在可能な同期信号ブロックの検出を停止する。
【手続補正９】
【補正対象書類名】明細書
【補正対象項目名】００８７
【補正方法】変更
【補正の内容】
【００８７】
一実施形態では、該ネットワーク装置は送信する情報によって、該端末装置に送信する同期信号ブロックのリソース位置を指示し、該端末装置は指示されたリソース位置のみで同期信号ブロックを受信し、他の位置において存在可能な同期信号ブロックの検出を停止する。
【手続補正１０】
【補正対象書類名】明細書
【補正対象項目名】００９４
【補正方法】変更
【補正の内容】
【００９４】
例えば、１つのマルチビームシステムが最大６４個のＳＳ  ｂｌｏｃｋ（各ＳＳ  ｂｌｏｃｋのリソース位置が固定する）を伝送できるが、実際に２個のみを伝送したことを仮定する。各実際に伝送されたＳＳ  ｂｌｏｃｋは１つのｉｎｄｅｘ（このｉｎｄｅｘはある方式によって上記６４個のＳＳ  ｂｌｏｃｋの位置のうちの１つに対応する）に対応し、Ｉ０、Ｉ１と記される。この場合、具体的な指示方式は、Ｉｎｄｅｘ（Ｉ０及びＩ１）を含み、ここで、該指示情報は６＊２＝１２個のビットを占有できる。端末装置はＩ０及びＩ１を読み取った後、実際の時間領域位置に対応することができる。
【手続補正１１】
【補正対象書類名】明細書
【補正対象項目名】０１０６
【補正方法】変更
【補正の内容】
【０１０６】
選択肢として、該ネットワーク装置は該第４情報の属するメッセージでの位置によって、送信する該同期信号ブロックのリソース位置及び／又は数量を指示する。
【手続補正１２】
【補正対象書類名】明細書
【補正対象項目名】０１０９
【補正方法】変更
【補正の内容】
【０１０９】
具体的に、ランダムアクセスリソース及び／又はランダムアクセスプリアンブル集合を設定するための構成情報はＮ個の設定位置を含み、具体的に、該Ｎ個の設定位置が如何に同期信号ブロックにマッピングされるかは第５情報によって指示されるようにしてもよい。
【手続補正１３】
【補正対象書類名】明細書
【補正対象項目名】０１２４
【補正方法】変更
【補正の内容】
【０１２４】
３３０では、端末装置は同期信号ブロックと第１情報とのマッピング関係を確定する。
【手続補正１４】
【補正対象書類名】明細書
【補正対象項目名】０１３５
【補正方法】変更
【補正の内容】
【０１３５】
具体的に、ランダムアクセスリソース及び／又はランダムアクセスプリアンブル集合を設定するための各構成情報はＮ個の設定位置を含み、具体的に、該Ｎ個の設定位置が如何に同期信号ブロックにマッピングされるかは第５情報によって指示されるようにしてもよい。
【手続補正１５】
【補正対象書類名】明細書
【補正対象項目名】０１５２
【補正方法】変更
【補正の内容】
【０１５２】
図６は本願の実施例に係る無線通信装置６００の模式的なブロック図である。図６に示すように、該通信装置６００は処理ユニット６１０及び通信ユニット６２０を備える。
【手続補正１６】
【補正対象書類名】明細書
【補正対象項目名】０１５４
【補正方法】変更
【補正の内容】
【０１５４】
なお、該図６に示される通信装置６００は方法３００中の端末装置又はネットワーク装置によって実行される対応の操作を実行でき、簡潔さのために、ここでは繰り返して説明しない。
【手続補正１７】
【補正対象書類名】明細書
【補正対象項目名】０１５５
【補正方法】変更
【補正の内容】
【０１５５】
図７は本願の実施例に係るシステムチップ７００の模式的なブロック図である。図７に示されるシステムチップ７００は入力インタフェース７０１、出力インタフェース７０２、プロセッサ７０３及びメモリ７０４を備え、それらは内部通信接続線によって接続されてもよく、前記プロセッサ７０３は前記メモリ７０４中のコードを実行する。
【手続補正１８】
【補正対象書類名】特許請求の範囲
【補正対象項目名】全文
【補正方法】変更
【補正の内容】
【特許請求の範囲】
【請求項１】
端末装置はネットワーク装置から送信される情報によって、前記ネットワーク装置が前記端末装置に送信する同期信号ブロックのリソース位置及び／又は数量を確定することと、
前記端末装置は前記リソース位置及び／又は数量の前記同期信号ブロックを受信することと、を含むことを特徴とする無線通信方法。
【請求項２】
前記ネットワーク装置は送信する情報によって、前記端末装置に送信する同期信号ブロックの数量を指示し、
前記端末装置が前記リソース位置及び／又は数量の前記同期信号ブロックを受信することは、
前記端末装置は前記数量の前記同期信号ブロックを受信し、且つ前記数量の前記同期信号ブロックを受信した後、存在可能な新しい同期信号ブロックの検出を停止することを含み、
或いは、
前記ネットワーク装置は送信する情報によって、前記端末装置に送信する同期信号ブロックのリソース位置及び数量を指示し、
前記端末装置が前記リソース位置及び／又は数量の前記同期信号ブロックを受信することは、
前記端末装置は前記数量の前記同期信号ブロックを受信し、且つ指示されたリソース位置のみで前記数量の前記同期信号ブロックを受信し、他の位置において存在可能な同期信号ブロックの検出を停止することを含むことを特徴とする請求項１に記載の方法。
【請求項３】
前記端末装置は前記ネットワーク装置から送信される第２情報を受信することを更に含み、
前記端末装置はネットワーク装置から送信される情報によって、前記ネットワーク装置が前記端末装置に送信する同期信号ブロックのリソース位置及び／又は数量を確定することは、
前記端末装置は前記第２情報に基づいて、前記ネットワーク装置が前記端末装置に送信する同期信号ブロックのリソース位置及び／又は数量を確定し、前記第２情報は予め設定された伝送可能な各同期信号ブロックが送信されるか否かを指示することによって、前記端末装置に送信する同期信号ブロックのリソース位置及び／又は数量を指示することを含むことを特徴とする請求項１又は２に記載の方法。
【請求項４】
前記第２情報中の、前記各同期信号ブロックが送信されるか否かを指示するための情報は、前記同期信号ブロックのリソース位置インデックス又は前記同期信号ブロックの識別子でソートされることを特徴とする請求項３に記載の方法。
【請求項５】
前記端末装置は前記ネットワーク装置から送信される第３情報を受信し、前記第３情報は前記ネットワーク装置が送信する前記同期信号ブロックに対応するランダムアクセス用のリソース及び／又はランダムアクセスプリアンブルコードの構成情報を含むことと、
前記構成情報に従って、前記端末装置はランダムアクセスを行うことと、を更に含むことを特徴とする請求項１〜４のいずれか一項に記載の方法。
【請求項６】
前記ネットワーク装置は少なくとも一つのビットを送信して、前記少なくとも一つのビットの対応するリソース位置で同期信号ブロックを送信するか否かを指示するようにすることを特徴とする請求項１〜５のいずれか一項に記載の方法。
【請求項７】
各前記少なくとも一つのビットは、対応するリソース位置で一つの同期信号ブロックを送信するか否かを指示することを特徴とする請求項６に記載の方法。
【請求項８】
各前記少なくとも一つのビットが１であることは、対応するリソース位置で同期信号ブロックを送信することを示し、各前記少なくとも一つのビットが０であることは、対応するリソース位置で同期信号ブロックを送信していないことを示すことを特徴とする請求項６に記載の方法。
【請求項９】
端末装置であって、処理ユニット及び通信ユニットを備え、
前記処理ユニットは、ネットワーク装置から送信される情報によって、前記ネットワーク装置が前記端末装置に送信する同期信号ブロックのリソース位置及び／又は数量を確定することに用いられ、
前記通信ユニットは、前記リソース位置及び／又は数量の前記同期信号ブロックを受信することに用いられることを特徴とする端末装置。
【請求項１０】
前記ネットワーク装置が送信する情報は、前記端末装置に送信する同期信号ブロックの数量を指示し、
前記通信ユニットは更に、
前記数量の前記同期信号ブロックを受信し、且つ前記数量の前記同期信号ブロックを受信した後、存在可能な新しい同期信号ブロックの検出を停止することに用いられ、
或いは、
前記ネットワーク装置が送信する情報は、前記端末装置に送信する同期信号ブロックのリソース位置及び数量を指示し、
前記通信ユニットは更に、
前記数量の前記同期信号ブロックを受信し、且つ指示されたリソース位置のみで前記数量の前記同期信号ブロックを受信し、他の位置において存在可能な同期信号ブロックの検出を停止することに用いられることを特徴とする請求項９に記載の端末装置。
【請求項１１】
前記通信ユニットは更に、前記ネットワーク装置から送信される第２情報を受信することに用いられ、
前記処理ユニットは更に、
前記第２情報に基づいて、前記ネットワーク装置が前記端末装置に送信する同期信号ブロックのリソース位置及び／又は数量を確定することに用いられ、
前記第２情報は予め設定された伝送可能な各同期信号ブロックが送信されるか否かを指示することによって、前記端末装置に送信する同期信号ブロックのリソース位置及び／又は数量を指示することを特徴とする請求項９又は１０に記載の端末装置。
【請求項１２】
前記第２情報中の、前記各同期信号ブロックが送信されるか否かを指示するための情報は、前記同期信号ブロックのリソース位置インデックス又は前記同期信号ブロックの識別子でソートされることを特徴とする請求項１１に記載の端末装置。
【請求項１３】
前記通信ユニットは更に、前記ネットワーク装置から送信される第３情報を受信することに用いられ、前記第３情報は前記ネットワーク装置が送信する前記同期信号ブロックに対応するランダムアクセス用のリソース及び／又はランダムアクセスプリアンブルコードの構成情報を含み、
前記処理ユニットは更に、
前記構成情報に従って、ランダムアクセスを行うことに用いられることを特徴とする請求項９〜１２のいずれか一項に記載の端末装置。
【請求項１４】
前記処理ユニットは更に、
受信された同期信号ブロックから同期信号ブロックを選択することと、
選択した前記同期信号ブロックに基づいて、ランダムアクセス用のリソース及び／又はランダムアクセスプリアンブルを確定することと、
確定した前記リソース及び／又はランダムアクセスプリアンブルを利用してランダムアクセスを行うことと、に用いられることを特徴とする請求項９〜１３のいずれか一項に記載の端末装置。
【請求項１５】
異なるリソース位置の前記同期信号ブロックは異なるビームによって送信されることを特徴とする請求項９〜１４のいずれか一項に記載の端末装置。
【手続補正１９】
【補正対象書類名】図面
【補正対象項目名】図７
【補正方法】変更
【補正の内容】
【図７】
2021502007.tif 000011
【国際調査報告】
2021502007.tif 000012
2021502007.tif 000013
2021502007.tif 000014
2021502007.tif 000015